(57)【要約】【課題】掃除機本体から細塵分離部を取出す作業をすることなく集塵された粗塵と細塵を同時に捨てることができる電気掃除機を提供する。【解決手段】粗塵分離部８１を通過した細塵を捕捉する主フィルタ２４１、外気導入弁２５１、及び細塵出口２１９を有し、外気導入弁から細塵出口２１９に向かって流通する外気で主フィルタ２４１を清掃可能な主細塵分離部２０２を、掃除機本体内に設ける。細塵出口２１９に連通する吸出し口１１を掃除機本体に設ける。吸出し口に着脱可能に接続されるとともにこの着脱に連動して開閉する吸出し弁７１が取付けられた接続部６６を、掃除機本体の吸込み口７に接続された吸込み風路部材２１に設ける。接続部６６の下流側でかつ吸込み口７の上流側に位置して部材２１に粗塵分離部８１を設ける。粗塵分離部で分離された塵を溜めてこの塵に部材２１を通って主フィルタから回収された細塵を捕捉させる集塵容器９１を吸込み風路部材２１に着脱可能に取付けたことを特徴としている。【選択図】図４
2011229846.tif 000002
【特許請求の範囲】
【請求項１】
吸込み口を有する掃除機本体に内蔵された電動送風機により吸引される含塵空気を塵と空気とに分離する粗塵分離部を備えるとともに、この粗塵分離部の下流側でかつ前記電動送風機の上流側に位置して前記掃除機本体に内蔵された主細塵分離部を備え、この主細塵分離部が、前記粗塵分離部を通過した細塵をろ過する主フィルタと開閉可能な外気導入弁と細塵出口を有していて、掃除時に前記粗塵分離部及び前記主フィルタを通過して前記電動送風機に吸引される第１気流を流通させ、前記主フィルタの清掃時に、前記外気導入弁から導入され前記主フィルタを清掃して前記電動送風機に吸引される外気の流れからなる第２気流を流通させ、かつ、前記吸込み口に接続された吸込み風路部材にこの風路部材が有した接続部の下流側でかつ前記吸込み口の上流側に位置して前記粗塵分離部が設けられているとともに、前記粗塵分離部で分離された塵を溜める集塵容器が前記吸込み風路部材に着脱可能に取付けられた電気掃除機において、
前記細塵出口と連通して前記掃除機本体に対する前記第２気流の出口をなした吸出し口に前記接続部を接続した状態で、前記第２気流を前記吸込み風路部材に通して前記粗塵分離部に吸込んでから前記集塵容器に流通させた後に前記吸込み口から前記掃除機本体内に戻して前記電動送風機に吸引させることにより、前記第２気流中に含まれる細塵を、前記集塵容器内に溜められている塵をろ材としてこの塵に捕捉させて前記集塵容器内に回収することを特徴とする集塵方法。
【請求項２】
吸込み口を有する掃除機本体に内蔵された電動送風機により吸引される含塵空気を塵と空気とに分離する粗塵分離部を備えるとともに、この粗塵分離部の下流側でかつ前記電動送風機の上流側に位置して前記掃除機本体に内蔵された主細塵分離部を備え、この主細塵分離部が、前記粗塵分離部を通過した細塵をろ過する主フィルタと開閉可能な外気導入弁と細塵出口を有していて、掃除時に前記粗塵分離部及び前記主フィルタを通過して前記電動送風機に吸引される第１気流が流通され、前記主フィルタの清掃時に前記外気導入弁から導入されて前記電動送風機に吸引される外気の流れからなる第２気流が流通されるように構成された電気掃除機において、
前記第２気流の出口をなす吸出し口を前記細塵出口に連通して前記掃除機本体に設け、
この吸出し口と前記細塵出口との間に掃除時に閉じられるとともに前記フィルタ清掃時に開かれる細塵排出弁を設け、
前記吸込み口に接続された吸込み風路部材に前記吸出し口に着脱可能に接続される接続部を設け、
この接続部の前記吸出し口への接続に連動して前記吸込み風路部材の内部と前記吸出し口を連通させ、かつ、前記接続部が前記吸出し口から外れることに連動して前記吸込み風路部材に対する含塵空気の流通を可能とする吸出し弁を、前記吸込み風路部材に設け、
前記接続部の下流側でかつ前記吸込み口の上流側に位置して前記吸込み風路部材に前記粗塵分離部を設け、
掃除時に前記粗塵分離部で分離された塵を溜めるとともに、前記フィルタ清掃時に前記吸出し口から前記吸込み風路部材を通って前記粗塵分離部に戻された気流中の細塵を前記溜められた粗塵でろ過する集塵容器を、前記吸込み風路部材に着脱可能に取付けたことを特徴とする電気掃除機。
【請求項３】
吸込み口及び吸出し口を有する掃除機本体と、
この掃除機本体に内蔵された電動送風機と、
気流入口及びこの気流入口の下流側に前記電動送風機の吸気口に連通する気流出口を有するとともに前記吸出し口に連通する細塵出口を有した主収容部、この主収容部に収容されて前記気流入口から前記気流出口に向けて流れる気流中の細塵を捕捉する主フィルタ、通常時は閉じており前記主フィルタの清掃時に開かれて前記主収容部内に外気を導入する外気導入弁、及び掃除時に前記気流入口を開きかつ前記フィルタ清掃時に前記気流入口を閉じる入口開閉弁を備えて、前記掃除機本体内でかつ前記電動送風機の上流側に設けられた主細塵分離部と、
前記細塵出口と前記吸出し口との間に設けられて前記フィルタ清掃時に開放されるとともに掃除時に閉じる細塵排出弁と、
前記吸出し口に着脱可能な接続部及び吸込み口体を有して前記吸込み口に接続された吸込み風路部材と、
この吸込み風路部材に設けられ、前記接続部が前記吸出し口に接続されることに連動して、前記吸込み風路部材の内部と外部とを仕切って前記吸出し口と前記吸込み風路部材の内部を連通させ、かつ、前記接続部が前記吸出し口から外れることに連動して前記吸込み口体から吸込まれた含塵空気の前記吸込み風路部材に対する流通を可能とする吸出し弁と、
前記接続部の下流側でかつ前記吸込み口の上流側に位置して前記吸込み風路部材に設けられた粗塵分離部と、
前記吸込み風路部材に着脱可能に取付けられ、掃除時に前記粗塵分離部で分離された粗塵を溜めるとともに、この溜められた粗塵で、前記フィルタ清掃時に前記吸出し口から前記吸込み風路部材を経由して前記粗塵分離部に戻された気流中の細塵をろ過する集塵容器と、
を具備することを特徴とする電気掃除機。
【請求項４】
前記吸出し口がそれに前記接続部が接続して使用される状態で上向きとなるように設けられているとともに、前記吸込み風路部材が延長管を備え、この延長管の先端部側面から突出する筒状基部及びこの基部から前記先端部側面に沿うように折れ曲がった嵌合筒部とにより前記接続部がフック状に形成されていて、前記嵌合筒部が前記吸出し口に嵌合して引掛けられ前記延長管が立てて支持されることに連動して、前記吸出し弁が、前記延長管の内部と外部とを仕切って前記吸出し口と前記延長管の内部を連通させるように動作されることを特徴とする請求項２又は３に記載の電気掃除機。
【請求項５】
前記電気掃除機がキャニスタ型のものであって、前記吸出し口が前記掃除機本体から上向きに突出されていることを特徴とする請求項４に記載の電気掃除機。
【請求項６】
前記主フィルタに機械的な振動を付与して前記主フィルタに捕捉された細塵を除去する除塵部材が前記掃除機本体内に設けられているとともに、前記細塵出口と前記吸出し口が吸出しダクトを介して連通されていることを特徴とする請求項２から５のうちのいずれか一項に記載の電気掃除機。
【請求項７】
前記主細塵分離部が円形の周壁を有し、この周壁に前記細塵出口が形成されており、前記主フィルタが円形のプリーツフィルタで形成されているとともに、この主フィルタの周部に前記周壁内面に摺接する掻き取り部材が設けられていて、前記主フィルタを回転させる回転駆動機構を備えたことを特徴とする請求項２から６のうちのいずれか一項に記載の電気掃除機。
【請求項８】
前記細塵出口が前記周壁の略最低位置に設けられていることを特徴とする請求項７に記載の電気掃除機。
【請求項９】
前記吸込み風路部材が前記吸込み口に接続された吸塵ホースを備え、この吸塵ホースは上向きのハンドルが形成された手元操作部を有しており、この手元操作部に前記粗塵分離部が設けられているとともに、前記集塵容器がハンドルの下方に配置されていることを特徴とする請求項２から８のうちのいずれか一項に記載の電気掃除機。
【請求項１０】
前記手元操作部の手元管の下部半周に沿うように前記集塵容器が略Ｕ字形状に形成されているとともに、この集塵容器の一方の上部内側壁に塵入口が設けられ、前記集塵容器の他方の上部内側壁に通気口が設けられており、
前記粗塵分離部が、下流側に向かって次第に縮径する上流フィルタと、この上流フィルタを通過した気流を下流側に導く前記手元管の流出管部位と、前記上流フィルタの小径開口端部に連続されて前記流出管部位と上流フィルタとを仕切るように設けられ、前記塵入口に連通する出口及び前記小径開口端部に対向して前記上流フィルタの内側を流通する含塵空気の進行方向を略直角に曲げる分離壁部を有したガイド壁と、このガイド壁の前記出口に対向する出口対向部位を境に前記出口と反対側に形成されて前記集塵容器内から前記流出管部位にいたる気流及び前記上流フィルタを通過して前記手元管を流通する気流に合流させる合流口と、を備えていることを特徴とする請求項９に記載の電気掃除機。
【請求項１１】
前記集塵容器の少なくとも一部がこの集塵容器内部を透視可能に形成されていることを特徴とする請求項２から１０のうちのいずれか一項に記載の電気掃除機。
【請求項１２】
前記吸出し口に前記吸込み風路部材が接続されたことを検知する検知手段が前記掃除機本体に設けられていて、この検知手段の検知に基づいて前記主フィルタに捕捉されている細塵の回収動作が開始されることを特徴とする請求項６から１１のうちのいずれか一項に記載の電気掃除機。
【請求項１３】
前記吸込み口に連通する流入口及び前記気流入口に連通する流出口を有するとともに、前記電動送風機の吸気口と連通する通気部を有したフィルタ収容部、及びこのフィルタ収容部に収容されて前記流入口から前記通気部に向けて流れる気流中の細塵を捕捉する補助フィルタを備えて、前記掃除機本体内で前記主細塵分離部の上流側に設けられた補助細塵分離部と、
前記気流入口が開かれた状態で前記主細塵分離部から前記吸気口にいたる第１風路を開くとともに、前記気流入口が閉じられた状態で前記第１風路を閉じる出口開閉弁と、
前記気流入口及び前記気流出口が開かれた状態で前記通気部から前記吸気口にいたる第２風路を閉じるとともに、前記気流入口及び前記気流出口が閉じられた状態で前記第２風路を開く細塵排出弁と、
を具備することを特徴とする請求項３から１２のうちのいずれか一項に記載の電気掃除機。
【請求項１４】
前記補助フィルタが、互に平行な複数のプリーツを有し、かつ、隣接したプリーツ間に形成された表側フィルタ溝の両端が夫々開放されているプリーツフィルタであって、この補助フィルタの一端を前記流入口に向けるとともに、前記プリーツが延びる方向が前記流入口から前記流出口を通る気流の流れ方向に沿うように前記補助フィルタが前記フィルタ収容部内に配置されていることを特徴とする請求項１３に記載の電気掃除機。
【発明の詳細な説明】
【技術分野】
【０００１】
本発明は、掃除機本体の上流側に設けられる吸込み風路部材の例えば手元操作部等に塵分離部を備えた電気掃除機、及びこの電気掃除機の集塵方法に関する。
【背景技術】
【０００２】
電動送風機が内蔵された掃除機本体内に集塵フィルタを着脱自在に装着することに加えて、掃除機本体の吸込み口に接続されたホースの先端に設けられた手元操作部に、ネットフィルタを有する集塵容器を着脱可能に装着し、この集塵容器で塵分離をする電気掃除機が、従来知られている（例えば、特許文献１参照。）。
【０００３】
この特許文献１の電気掃除機は、ネットフィルタを有する集塵容器での塵分離により、比較的大きな塵埃（粗塵）を集塵容器で集塵し、この集塵容器から流出しホースを通って掃除機本体内に導かれた微細な塵埃を集塵フィルタで集塵する。そのため、掃除機本体内の集塵フィルタの交換回数を少なくできる利点がある。
【０００４】
又、吸込み口を有する掃除機本体に内蔵された電動送風機により吸引される含塵空気を塵と空気とに分離する粗塵分離部を備えるとともに、この粗塵分離部の下流側でかつ電動送風機の上流側に位置して掃除機本体に内蔵された主細塵分離部を備えた電気掃除機が、従来知られている（例えば、特許文献２参照。）。
【０００５】
前記主細塵分離部は、粗塵分離部を通過した細塵をろ過する主フィルタと、開閉可能な外気導入弁と細塵出口を有している。この特許文献２の電気掃除機は、掃除時に粗塵分離部及び主フィルタを通過して電動送風機に吸引される第１気流を形成し、主フィルタを清掃するフィルタ清掃時に、外気導入弁から導入されて主フィルタを通過することなく流通して電動送風機に吸引される外気の流れからなる第２気流を形成するように構成されている。
【０００６】
この特許文献２の電気掃除機が備える粗塵分離部は掃除機本体に着脱可能である。この掃除機では、主細塵分離部への外気導入により、主フィルタに捕捉された細塵を掃除機本体内に装着された粗塵分離部に戻して、この粗塵分離部内に集塵されている粗塵をろ材として粗塵に捕捉させることができる。このように主細塵分離部が有した細塵捕捉用の主フィルタを清掃できるため、主細塵分離部に対する人為的な掃除を長期間にわたり行う必要がない利点がある。
【先行技術文献】
【特許文献】
【０００７】
【特許文献１】特開２００６−６８１２８号公報
【特許文献２】特開２００７−３３０４５８号公報
【発明の概要】
【発明が解決しようとする課題】
【０００８】
しかし、特許文献１の電気掃除機では、掃除機本体外に設けられた集塵容器に溜められた粗塵を捨てる手間の他に、掃除機本体内の集塵フィルタを交換することで細塵を捨てる手間を要するので、集塵された塵捨ての手間が掛かる場合がある、という不便がある。特に、集塵フィルタを交換して塵捨てを行う作業は、掃除機本体が在る場所に使用者が戻った上で、一般的に掃除機本体の傍で屈んだ状態で本体蓋を開けて、集塵フィルタを交換する手間が必要である、という面倒がある。
【０００９】
又、特許文献２の電気掃除機は、外気導入に伴うフィルタ清掃により、主フィルタに捕捉されている細塵が粗塵分離部内の粗塵に捕捉されるので、粗塵と細塵を同時に捨てることができる。しかし、そのためには、粗塵分離部が収容されている掃除機本体が在る場所に使用者が戻った上で、一般的に掃除機本体の傍で屈んだ状態で、本体蓋を開けて粗塵分離部を掃除機本体から取出す手間が必要であるから、塵捨て作業が面倒である。
【００１０】
以上のように従来技術によれば、掃除機本体内で捕捉された細塵及び集塵容器に溜められた塵を捨てる場合、掃除機本体の本体蓋を開けて作業をしなければならない、という課題がある。
【００１１】
したがって、本発明の目的は、掃除機本体から細塵分離部を取出す作業をすることなく集塵された粗塵と細塵を同時に捨てることができる電気掃除機及びその集塵方法を提供することにある。
【課題を解決するための手段】
【００１２】
前記課題を解決するために、本発明の電気掃除機は、粗塵分離部を通過した細塵を捕捉する主フィルタ、外気導入弁、及び細塵出口を有し、外気導入弁から細塵出口に流通する外気で主フィルタを清掃可能な主細塵分離部を掃除機本体内に設け、細塵出口に連通する掃除機本体の吸出し口に着脱可能に接続されこの着脱に連動して開閉する吸出し弁が取付けられた接続部を、掃除機本体の吸込み口に接続された吸込み風路部材に設け、接続部の下流側でかつ吸込み口の上流側に位置して粗塵分離部を吸込み風路部材に設け、この粗塵分離部で分離された塵を溜める集塵容器を吸込み風路部材に着脱可能に取付けて、吸出し口からこれに接続された吸込み風路部材を通って粗塵分離部に戻される気流中の細塵を塵分離部内に溜められた塵でろ過分離できるように構成したことを特徴としている。
【発明の効果】
【００１３】
本発明によれば、掃除機本体から細塵分離部を取出す作業をすることなく、吸込み風路部材に設けられた粗塵分離部に対する集塵容器の着脱操作により、粗塵分離部により集塵容器内に集塵された塵と、掃除機本体内の細塵分離部から移動されて集塵容器内の塵にこれをフィルタとして捕捉された細塵とを、同時に捨てることができる、という効果がある。
【図面の簡単な説明】
【００１４】
【図１】本発明の一実施形態に係る電気掃除機を示す側面図である。
【図２】図１の電気掃除機をその延長管が掃除機本体に支持された状態で示す側面図である。
【図３】図１の電気掃除機の掃除動作での気流経路を概念的に示す説明図である。
【図４】図１の電気掃除機の細塵回収動作での気流経路を概念的に示す説明図である。
【図５】図１の電気掃除機の掃除機本体をこれに支持される延長管の一部とともに示す側面図である。
【図６】図１の電気掃除機の掃除機本体を示す縦断側面図である。
【図７】図１の電気掃除機の掃除機本体に内蔵される吸引装置を上側から見て示す斜視図である。
【図８】図７の吸引装置を下側から見て示す斜視図である。
【図９】図７の吸引装置を一部切欠いて示す斜視図である。
【図１０】図７の吸引装置の細塵分離ユニットまわりの構成を示す断面図である。
【図１１】図７の吸引装置が備える通気ユニットとこれに組み合わされた電動送風機及びコードリールを示す斜視図である。
【図１２】図１１の通気ユニットを前側から見て示す斜視図である。
【図１３】図１１の通気ユニットが備える回転駆動機構を後側から見て示す斜視図である。
【図１４】図７の吸引装置が備える細塵分離ユニットを前側から見て示す斜視図である。
【図１５】図１４の細塵分離ユニットを後側から見て示す斜視図である。
【図１６】図１４の細塵分離ユニットの主フィルタをこれに支持された部品とともに前側から見て示す斜視図である。
【図１７】（Ａ）は図１４の細塵分離ユニットの主収容部をこれに支持された部品とともに掃除機の通常運転状態で示す側面図である。（Ｂ）は図１４の細塵分離ユニットの主収容部をこれに支持された部品とともに掃除機の通常運転状態で示す後面図である。
【図１８】（Ａ）は図１４の細塵分離ユニットの主収容部をこれに支持された部品とともに細塵回収状態で示す側面図である。（Ｂ）は図１４の細塵分離ユニットの主収容部をこれに支持された部品とともに細塵回収状態で示す後面図である。
【図１９】図１４の細塵分離ユニットの外気導入弁まわりの構成を示す断面図である。
【図２０】（Ａ）は図１４の細塵分離ユニットが備える入口開閉弁を示す斜視図である。（Ｂ）は入口開閉弁に取付けられた除塵機構を示す横断面図である。（Ｃ）は図２０（Ｂ）中Ｆ２０−Ｆ２０線に沿う断面図である。
【図２１】図１４の細塵分離ユニットが備える除塵機構と前ケースの前壁との関係を示す断面図である。
【図２２】図１２の通気ユニットを掃除機の通常運転状態で前側から見て示す一部切欠き斜視図である。
【図２３】図１２の通気ユニットを細塵回収状態で前側から見て示す一部切欠き斜視図である。
【図２４】図１２の通気ユニットを掃除機の通常運転状態で後側から見て示す斜視図である。
【図２５】図１２の通気ユニットを細塵回収状態で後側から見て示す斜視図である。
【図２６】図１の電気掃除機の吸込み風路部材に設けられた手元操作部及び集塵容器を前側から見て示す斜視図である。
【図２７】図２６の手元操作部及び集塵容器を後側から見て示す斜視図である。
【図２８】図２６の手元操作部をその中心軸線が延びる方向に沿って集塵容器とともに示す縦断側面図である。
【図２９】図２６の手元操作部をその中心軸線が延びる方向に沿って集塵容器とともに示す縦断平面図である。
【図３０】図２６の手元操作部をその中心軸線に直交する方向に沿って集塵容器とともに示す断面図である。
【図３１】図２６の手元操作部及び集塵容器を分解して示す斜視図である。
【図３２】図１の電気掃除機の吸込み風路部材が備える延長管を示す斜視図である。
【図３３】図３２の延長管の接続部まわりを通常状態で示す断面図である。
【図３４】（Ａ）は図３２の延長管の接続部まわりを通常状態で示すために延長管の先端部を一部切欠いて示す斜視図である。（Ｂ）は同接続部に組み込まれた吸込み弁を通常状態で示す斜視図である。
【図３５】図３２の延長管の接続部まわりを細塵回収状態で示す断面図である。
【図３６】（Ａ）は図３２の延長管の接続部まわりを細塵回収状態で示すために延長管の先端部を一部切欠いて示す斜視図である。（Ｂ）は同接続部に組み込まれた吸込み弁を細塵回収状態で示す斜視図である。
【発明を実施するための形態】
【００１５】
以下、図１〜図３６を参照して本発明の一実施形態について、詳細に説明する。なお、図６は断面図であるが、図の理解を容易にするためにハッチングを省略してある。
【００１６】
図１及び図２中符号１は例えばキャニスタ型の電気掃除機を示している。この電気掃除機１は、掃除機本体２と、吸込み風路部材２１と、図７〜図９等に示す吸引装置１１１等を備えている。
【００１７】
掃除機本体２は本体下ケース３と本体上ケース４を備えている。本体上ケース４は開閉可能な本体蓋４ａを有している。本体蓋４ａは、その後端部を支点として、図１中二点鎖線で示す開いた位置と、図１及び図２中実線で閉めす閉じた位置とにわたって回動可能である。
【００１８】
本体下ケース３の前部底壁に旋回車輪５（図６参照）が取付けられているとともに、本体下ケース３の後部両側に車輪６（図１、図２、図５に一方のみ図示）が夫々取付けられている。これら旋回車輪５と車輪６の回転により屋内の床面（被掃除面）上を掃除機本体２は移動自在である。図５に示すように車輪６の周部側面に多数の小孔を有した排気部６ａが設けられていて、この排気部６ａは掃除機本体２の後部内側空間に連通されている。
【００１９】
図６等に示すように掃除機本体２は、その前部、例えば本体上ケース４が備える本体蓋４ａの前部に吸込み口７を有している。吸込み口７は例えば斜め上前向きに突出されている。
【００２０】
掃除機本体２は後述の第２気流の出口をなす吸出し口１１を有している。本実施形態では、好ましい例として吸出し口１１が、これに後述の延長管４１が着脱自在に引掛けられて、引掛けられた延長管４１を図２に示すように立てて支持するためのスタンドを兼ねている。こうしたスタンドの機能は一般的に「チョイトスタンド」と称されている。そのために、吸出し口１１は、これに後述の接続部６６が接続されて使用されるように上向きに設けられている。
【００２１】
具体的には、掃除機本体２の後部、例えば本体上ケース４の後端部にこの本体上ケース４から吸出し口１１が上向きに突設されている。なお、掃除機本体２がその後部を底にして被掃除面に立てて置くことが可能な電気掃除機の構成では、掃除機本体２を立てて置いた場合に、吸出し口１１が上向きになるように掃除機本体２の底壁に吸出し口１１を設けることも可能である。
【００２２】
図５に示すように吸出し口１１の外筒部に弁用凸部１３が一体に突設されている。弁用凸部１３は掃除機本体２の幅方向に並んで一対設けられている。これら弁用凸部１３は、吸出し口１１の後方に突出してから上向きに折れ曲がっていて、その上端部の高さ位置は吸出し口１１の上端より高い。
【００２３】
図６に示すように吸出し口１１は上端で下向きに折り返された内筒部１１ａを有した二重筒壁で形成されている。この内筒部１１ａに後述の接続部６６が上方から挿脱自在に嵌合して接続される。この接続を検知する検知手段例えばスイッチ１５が掃除機本体２に取付けられている。具体的には、スイッチ１５は吸出し口１１に取付けられている。このスイッチ１５は、掃除機本体２が通電されている状態で、吸出し口１１に挿入された接続部６６で押されてオンされるとともに、接続部６６が吸出し口１１から抜き出されるに伴いオフされる。
【００２４】
掃除機本体２には電気掃除機１の制御全般を担う図示しない制御部が内蔵されていて、この制御部にスイッチ１５のオン・オフ信号が供給される。制御部は、スイッチ１５のオン信号に基づいて細塵回収動作を開始させるために、後述の電動送風機１１２の運転を開始させるとともに、後述の除塵機構２５５による後述の主フィルタ２４１からの細塵除去動作を開始させる機能を有して構成されている。なお、この後での電動送風機１１２の運転停止及び細塵除去動作の停止は、制御部によるタイマー制御で所定時間後に実施される。しかし、これに代えて、後述する手元操作部２５に停止スイッチを設けて置いて、それを細塵回収動作の開始から任意時間後に操作することで細塵回収動作を停止させるようにすることも可能である。
【００２５】
吸込み風路部材２１は、掃除機本体２内に吸込み気流を導くものであって、図１及び図２に示すように吸塵ホース２２と、延長管４１と、吸込み口体５１を備えている。
【００２６】
吸塵ホース２２は、蛇腹状で可撓性を有するホース部２３の一端部に本体接続筒部２４を設け、ホース部２３の他端部（先端部）に手元操作部２５を設けて形成されている。本体接続筒部２４は吸込み口７に接続されている。
【００２７】
図２６〜図３１に示すように手元操作部２５は、手元管２６及びハンドル３３を備えている。
【００２８】
手元管２６は、上流側管部材２７と下流側管部材２８を連結して形成されている。図３１等に示すように上流側管部材２７は、ベース部位２７ａの中央部に流入管部位２７ｂを一体に突設して形成されている。
【００２９】
下流側管部材２８は、フィルタ収容部２９と、流出管部位３０と、ガイド壁３１と、合流口３２を備えている。
【００３０】
図２８に示すようにフィルタ収容部２９は、下流側（図２８中左側）に向かって次第に縮径するラッパ形状に作られている。図２８及び図２９に示すようにフィルタ収容部２９の縮径された下流側端部にその後側から流出管部位３０が接続されている。
【００３１】
ガイド壁３１は、フィルタ収容部２９の下流側端部の内側に、Ｌ字状をなして略直角に曲がった通気路３１ｆを形成して設けられている。通気路３１ｆの入口（つまり、ガイド壁３１の入口）は前向きに開放されている。通気路３１ｆの出口（つまり、ガイド壁３１の出口）３１ａは、図２９及び図３０に示すように手元管２６の真っ直ぐな中心軸線（図示しない）に対して略直角でかつ横方向の片側（図２９及び図３０中右方向）に設けられていて、かつ、フィルタ収容部２９と流出管部位３０とが連続する部位から外部に突出されている。
【００３２】
ガイド壁３１は、その通気路３１ｆを入口から出口３１ａに向けて流通する含塵空気の進行方向を略直角に曲げる分離壁部３１ｂを有している。この分離壁部３１ｂの一部は、出口３１ａに対向する出口対向部位３１ｃをなしている。
【００３３】
このガイド壁３１の存在に拘らず、フィルタ収容部２９と流出管部位３０とは連通されている。図２９及び図３０に示すように合流口３２は出口対向部位３１ｃを境に出口３１ａと反対側に形成されている。この合流口３２は、手元管２６の中心軸線に対して略直角でかつ横方向の片側（図２９及び図３０中左側）に設けられていて、かつ、図３１に示すようにフィルタ収容部２９と流出管部位３０とが連続する部位から外部に突出されている。
【００３４】
合流口３２と出口３１ａは手元管２６の周方向に略１８０°離れていて、互に遠ざかる方向に突出されている。この合流口３２は、後述する上流フィルタ８２を通過して手元管２６を流通する気流に、後述の集塵容器９１から流出管部位３０にいたる気流を合流させることができるように、フィルタ収容部２９及び流出管部位３０の内部に夫々連通されている。
【００３５】
フィルタ収容部２９の大径開口端部内にベース部位２７ａを嵌合した状態で、上流側管部材２７と下流側管部材２８をねじ止めにより連結して、手元管２６が組立てられている。この手元管２６に対してハンドル３３は上向きに突設されている。
【００３６】
図３１等に示すようにハンドル３３は、ハンドルベース３３ａと、ハンドルカバー３３ｂと、操作パネル３３ｃ等からなる。このハンドル３３にはスイッチ基板３３ｄが内蔵されている。
【００３７】
ハンドルベース３３ａは略コの字状をなして下流側管部材２８に一体に形成されている。ハンドルカバー３３ｂは、ハンドルベース３３ａの両側面間にねじ止めにより設けられていて、その前部はベース部位２７ａの上部前面及び流入管部位２７ｂの上部を覆っている。
【００３８】
操作パネル３３ｃはハンドル３３を握持する使用者の手の指で操作可能となるようにハンドルカバー３３ｂの上面部に装着されている。スイッチ基板３３ｄは、操作パネル３３ｃの直下に位置してハンドルベース３３ａとハンドルカバー３３ｂとの間に配置されている。このスイッチ基板３３ｄは複数のスイッチを有している。これらは操作パネル３３ｃを介して操作され、この操作により、後述の電動送風機１１２の起動・停止及び入力調整等を遠隔制御できる。
【００３９】
手元管２６の流出管部位３０外周にホース部２３の先端部が嵌合して連結されている。なお、図２７〜図２９及び図３０中符号３５はホースカバーを示している。このホースカバー３５は、流出管部位３０の外周に装着されてホース部２３の先端部及びガイド壁３１の後部を覆っている。更に、図２６〜図２９及び図３１中符号３６は流入管部位２７ｂの外周に回動可能に取り付けられた略Ｕ字状の手元ブラシを示している。部屋の隅に溜まった塵を掻き出す際に、図２６等に示した待機位置から手元ブラシ３６が回動されて、そのブラシ毛が手元管２６の前端開口から前側に突出された使用状態に配置される。
【００４０】
図１、図２、及び図３２等に示すように延長管４１は内管４２と外管４３とを伸縮可能に組み合わせて形成されている。そのため、内管４２は、外管４３に対しその先端（上流側端）から挿入されていて、その挿入深さを可変でき、それに伴い延長管４１の長さを調節可能である。
【００４１】
この長さ調節は、図３３及び図３５に示すように外管４３の上流側端部に装着されて図示しないばねで付勢されている係止ボタン４４を前記ばねに抗して押すことにより、この係止ボタン４４の係止部４４ａを内管４２の外面に長手方向に沿って間隔的に設けられた係止溝４５（図３３及び図３５に夫々二個のみ図示する。）から外した上で、内管４２と外管４３を相対的に軸方向に移動操作することで実行される。調節された延長管４１の長さは、係止溝４５に係止ボタン４４の係止部４４ａが引っ掛かることにより保持される。
【００４２】
延長管４１の上流側端部をなす内管４２の前端部４２ａは、延長管４１が最も短く縮められた状態でも、外管４３の前端部から突出状態に保持されている。延長管４１の下流側端部をなす外管４３の後端部４３ｂ（図３２参照）は、手元管２６の入口をなす流入管部位２７ｂの内側に、手元管２６の上流側から挿脱することにより、手元管２６に着脱可能である。なお、図２６〜図２８、及び図３１中符号４６は手元操作部２５に装着されたパイプクランプを示していて、このパイプクランプ４６が外管４３の係合溝４３ａ（図３２参照）に係合されることにより、手元操作部２５の手元管２６に対する延長管４１の接続状態が保持されている。
【００４３】
図１に示すように吸込み口体５１は、被掃除面の掃除に適した床用である。この吸込み口体５１は、横長な吸込みヘッド５２と、この吸込みヘッド５２の後部でかつ長手方向中央部に自在継手管部を介して接続された接続管５３を備えている。
【００４４】
吸込みヘッド５２の底面には横長な吸込み開口（図示しない）が設けられている。吸込みヘッド５２に回転清掃体は内蔵されていてもいなくてもよく、内蔵されている場合、その回転清掃体は、電動機の動力若しくは吸引される気流の力で回転させることができる。接続管５３の後端部からなる下流側端部は、延長管４１の上流側端部をなした内管４２の前端部４２ａの内側に挿脱することにより、延長管４１に着脱可能である。又、手元管２６の入口をなす流入管部位２７ｂの内側に挿脱することにより、手元管２６に着脱可能である。
【００４５】
前記構成の吸込み風路部材２１に図３３〜図３６（Ａ）等に示すようにバルブサポート６１が組み込まれている。バルブサポート６１は、第１開口６２、第２開口６３、第３開口６４、及び枢軸受け部６５を有している。
【００４６】
第１開口６２と第２開口６３は相対向している。第３開口６４は、第１開口６２及び第２開口６３に対して９０°ずれてこれらの間に設けられている。バルブサポート６１は例えば内管４２の軸方向に沿って第１開口６２及び第２開口６３を並べた状態に内管４２の前端部４２ａに組み込まれている。第１開口６２は、第２開口６３より内管４２の前端開口側、つまり、上流側に位置されている。
【００４７】
吸込み風路部材２１は前記吸出し口１１に着脱可能な接続部６６を有している。詳しくは、図３２〜図３６に示すように接続部６６は、筒状基部６７及び嵌合筒部６８を有していて、フック状に形成されている。
【００４８】
筒状基部６７は、第３開口６４に連通して延長管４１の先端部側面例えば内管４２の前端部４２ａの側面から一体に突出されている。嵌合筒部６８は、筒状基部６７から折れ曲がって形成されていて、先端が開放されている。この嵌合筒部６８は、上流側に指向して内管４２の前端部４２ａと略平行に設けられているとともに、吸出し口１１の内筒部１１ａの大きさに適合してこの内筒部１１ａの内部に丁度嵌合できる大きさに作られている。なお、嵌合筒部６８はその補強をするために内部に仕切り壁６８ａを有しているが、これは省略可能である。
【００４９】
吸込み風路部材２１に吸出し弁７１が設けられている。図３４（Ａ）（Ｂ）及び図３６（Ａ）（Ｂ）等に示すように吸出し弁７１は、バルブサポート６１に回転可能に支持されている。この吸出し弁７１は、枢軸部７２と、第１弁板７３と、第２弁板７４と、付勢ばね例えば捻りばね７５と、中心軸７６と、一対のアーム７７を有している。
【００５０】
枢軸部７２は、円筒状であり、バルブサポート６１の枢軸受け部６５に回転可能に支持されている。枢軸部７２はその外周面に開放されたばね収容部を長手方向中央部に有している。
【００５１】
第１弁板７３と第２弁板７４は枢軸部７２の外周から例えば相反する方向に一体に突設されていて、互に略１８０°隔たっている。第１弁板７３は、内管４２の前端部４２ａ内でかつバルブサポート６１の上流側に配設されている。この第１弁板７３は枢軸部７２の回動に伴い第１開口６２の開口縁に上流側から接離して、この第１開口６２を開閉する。第２弁板７４は、内管４２の内部から外れて配設され、枢軸部７２の回動に伴って第２開口６３の開口縁に内管４２の外側から接離して、この第２開口６３を開閉する。
【００５２】
捩りばね７５は前記ばね収容部に収められている。中心軸７６は、捻りばね７５の中心部を軸方向に貫通して枢軸部７２内に固定されている。したがって、捩りばね７５は中心軸７６によって外れ止めされている。この捩りばね７５のばね力で、図３３及び図３４（Ａ）に示すように第１弁板７３が第１開口６２を開くとともに、第２弁板７４が第３開口６４を閉じる第１の位置に保持されるように吸出し弁７１が付勢されている。
【００５３】
アーム７７は筒状基部６７に外側から挿入された部位を有しており、この部位が枢軸部７２の端部に夫々ねじ止め等で連結されている。そのため、これらアーム７７は接続部６６の外部に配置されている。これらアーム７７は、嵌合筒部６８が吸出し口１１に接続された際、弁用凸部１３で押されることにより、捻りばね７５のばね力に抗して９０°回動される。この回動に伴い、図３５及び図３６（Ａ）に示すように第１弁板７３が第１開口６２を閉じるとともに、第２弁板７４が第３開口６４を開く第２の位置に移動される。
【００５４】
吸込み風路部材２１に粗塵分離部８１が備えられている。この粗塵分離部８１は、接続部６６の下流側でかつ吸込み口７の上流側に設けられており、本実施形態の場合、手元操作部２５に粗塵分離部８１が設けられている。
【００５５】
粗塵分離部８１は、下流側に向かって次第に縮径された上流フィルタ８２と、手元管２６の流入管部位２７ｂと、手元管２６のガイド壁３１と、手元管２６の合流口３２とを備えて形成されている。
【００５６】
図２８、図２９、及び図３１に示すように上流フィルタ８２は、内側フィルタホルダ８２ａ及び外側フィルタホルダ８２ｂと、これらの間に挟まれて保持されたネットフィルタ８２ｃを有している。
【００５７】
内側フィルタホルダ８２ａ及び外側フィルタホルダ８２ｂは、下流側に向かって次第に縮径されている。これら内側フィルタホルダ８２ａ及び外側フィルタホルダ８２ｂは、その大径な上流側端が開口されているとともに、小径な下流側端も開口されている。更に、これら内側フィルタホルダ８２ａ及び外側フィルタホルダ８２ｂは、その周方向に複数のリブと複数の通気開口とを交互に有していて、ネットフィルタ８２ｃで囲まれた内部から外側への通気が可能となるように形成されている。
【００５８】
ネットフィルタ８２ｃは、その内面に付着する塵が一定程度成長した状態で剥離し易くするために金属薄板等とすることが望ましい。更に、このネットフィルタ８２ｃの通気面積は、可能な限り大きくすることが望ましい。それにより、吸塵ホース２２内の負圧が過大になることを抑制できる。それに伴い、掃除中に吸塵ホース２２が軸方向に短くなるように変形することを抑制できる。
【００５９】
上流フィルタ８２は、手元管２６のフィルタ収容部２９より小径であり、フィルタ収容部２９に収容されている。この収容状態で、図２８及び図２９に示すように上流側管部材２７のベース部位２７ａとガイド壁３１の入口とで前後から挟持されている。上流フィルタ８２の大径開口端部の内側に流入管部位２７ｂの後端部が挿入されている。上流フィルタ８２の小径開口端部８２ｄはガイド壁３１の入口に連続されている。そのため、既述のガイド壁３１は、上流フィルタ８２と既述の流出管部位３０とを仕切るようにこれらの間に設けられている。
【００６０】
吸込み風路部材２１には粗塵分離部８１の近傍に位置して集塵容器９１が着脱可能に取付けられている。集塵容器９１は、図２８及び図２９等に示すように容器本体９２とこれに着脱自在に嵌合された容器蓋９３を備えている。
【００６１】
集塵容器９１は、前記ハンドル３３の下方に配置されている。本実施形態の場合、集塵容積をより大きく確保するために集塵容器９１は、手元管２６の下部半周に沿うように略Ｕ字形状に形成されている。こうした形状の集塵容器９１の容器本体９２が有した一方の上部９２ａ（図３０及び図３１参照）の内側壁に塵入口９４が設けられている。これとともに、容器本体９２が有した他方の上部９２ｂ（図３０及び図３１参照）の内側壁に通気口９５（図２９及び図３０参照）が設けられている。
【００６２】
図２８に示すように容器本体９２は、容器蓋９３に寄せて設けられた第１係合部９６と、この第１係合部９６を境に容器蓋９３と反対側に設けられた第２係合部９７を有している。これら第１係合部９６及び第２係合部９７はいずれも容器蓋９３と反対側に開放した溝を形成している。これとともに容器本体９２に第２係合部９７の近傍に位置して容器クランプ９８が取付けられている。
【００６３】
手元管２６の下部外面に第１フック３７と第２フック３８が前後に離れて一体に突設されている。第１係合部９６は第１フック３７にその後側から係脱可能であり、第２係合部９７は第２フック３８にその後側から係脱可能である。これらの係合（引掛かり）により、集塵容器９１がハンドル３３の真下の位置に取付けられる。更に、第２フック３８は溝状の係止部３８ａを有している。この係止部３８ａに容器クランプ９８が係止されることで、集塵容器９１の取付け状態が保持される。したがって、容器クランプ９８を操作して係止部３８ａから外した状態で集塵容器９１を後方に引くことにより、この集塵容器９１を手元操作部２５から外すことができる。
【００６４】
集塵容器９１の塵入口９４は、以上の手順で集塵容器９１が手元管２６に取付けられた状態で、図３０に示すように粗塵分離部８１の出口３１ａに密接されて、これらは連通状態に保持される。集塵容器９１の通気口９５は、集塵容器９１が手元管２６に取付けられた状態で、図３０に示すように粗塵分離部８１の合流口３２に密接されて、これらは連通状態に保持される。
【００６５】
集塵容器９１には図３１に示すフィルタ支持部材９９が内蔵されている。このフィルタ支持部材９９は容器本体９２の前端部と容器蓋９３とで挟持されていて、容器蓋９３を外した状態で容器本体９２に挿脱可能である。
【００６６】
このフィルタ支持部材９９にはネットフィルタからなる粗塵用フィルタ１００が支持されている。粗塵用フィルタ１００は、通気口９５を覆って配置されて、集塵容器９１内に溜められた粗塵が通気口９５を通ることを妨げるために設けられている。
【００６７】
なお、図３０等に記載の符号１０１は容器本体９２の下部外面に一体に突設された脚部を示している。これら脚部１０１は、集塵容器９１が単独で置かれた場合、或いは容器蓋９３が外されて容器本体９２が単独で置かれた場合、安定して載置できるように設けられている。
【００６８】
この集塵容器９１内の塵の溜り具合を視認できるようにするために、集塵容器９１はその少なくとも一部、例えば全てが内部を透視可能な合成樹脂製透明で形成されている。なお、集塵容器９１の一部を透視可能とする場合には、この集塵容器９１の容器本体９２又は容器蓋９３を透明（無色着色及び着色透明を含む）樹脂で形成できる他、容器本体９２を不透明樹脂と透明樹脂で二色成形することにより、例えば透明樹脂製の部分を容器本体９２の円弧状外面にその円弧に沿って設けて実施でき、或いは、集塵容器９１の一方の上部のみを透明樹脂製とすることで実施することが可能である。
【００６９】
掃除機本体２に吸引装置１１１が内蔵されている。吸引装置１１１は、図６〜図９及び図１１に示すように電動送風機１１２と、通気ユニット１１５と、細塵分離ユニット２０１等を備えている。
【００７０】
電動送風機１１２は、図示しないファンと、これを回転駆動する電動機部とを備えている。図９中符号１１２ａは、ファンカバー１１２ｂに形成された開口、つまり、電動送風機１１２の吸気口を示している。この吸気口１１２ａを前方に向けて電動送風機１１２が掃除機本体２の後部に内蔵されている。図７〜図９及び図１１中符号１１３は電動送風機１１２の排気口を示している。排気口１１３は掃除機本体２内の空間を経由して前記排気部６ａに連通している。
【００７１】
図１２、図２２〜図２５等に示すように通気ユニット１１５は、ユニット本体１１６と、吸込みダクト１２１と、吸出しダクト１２５と、回転駆動機構１３１（図９及び図１３参照）と、除塵部材２５９を有する除塵機構２５５と、出口開閉弁１３９等を備えている。
【００７２】
ユニット本体１１６の上部は半円形である。このユニット本体１１６は、その前面に開放する円形状凹部及びこの凹部の下端部から下方に突出するように連続した延出凹部１１６ａを有している。これとともに、これら凹部の後側に離間しかつ対向して設けられた後壁１１６ｂをユニット本体１１６は有している。
【００７３】
ユニット本体１１６の前面にシールリング１１４が装着されている。シールリング１１４は、合成ゴム等の弾性変形が可能なシール材で形成されていて、前記円形状凹部及び延出凹部１１６ａを囲んでこれらに沿って連続して設けられている。
【００７４】
後壁１１６ｂに形成された軸受部１１６ｃ（図２４及び図２５参照）に回転自在に支持された円形の格子部１１７が円形状凹部内に配設されている。図１３に示すように格子部１１７の周部後面に歯車部１１７ａが一体に形成されている。図１２等に示すように格子部１１７の周部前面に前方に複数の連動突起１１７ｂが一体に突設されている。格子部１１７の一部に対向して後壁１１６ｂに通気孔１１６ｄが開口されている。
【００７５】
図２４及び図２５に示すように後壁１１６ｂの裏面に後述の電動送風機１１２に吸い込まれる気流を案内する風路の一部を形成する風路壁１１６ｅが一体に設けられている。風路壁１１６ｅの上部に通気孔１１６ｄ（図２２参照）が位置している。この風路壁１１６ａがなす風路は後述する吸込みダクト１２１の途中に合流している。
【００７６】
風路壁１１６ｅが形成した風路の上部とそれより下部との連通とその遮断、言い換えれば、通気孔１１６ｄと後述の吸込みダクト１２１との連通と遮断を担う第１開閉弁１１８が、後述する回転軸１３６を支点に回動自在に後壁１１６ｂに取付けられている。この第１開閉弁１１８は、通常の掃除運転時には図２５に示すように通気孔１１６ｄと後述の吸込みダクト１２１との連通を断つ閉じ位置に配置され、細塵回収時には図２４に示す開き位置に配置される。
【００７７】
更に、風路壁１１６ｅの一部に、風路壁１１６ｅが形成した風路に連通する連通部１１６ｇ（図２５参照）が設けられている。この連通部１１６ｇの開閉を担う第２開閉弁１１９が、その一端の枢支部１１９ａを中心に回動自在に後壁１１６ｂに取付けられている。この第２開閉弁１１９は、通常の掃除運転時には図２５に示すように連通部１１６ｇを開く開き位置に配置され、細塵回収時には図２４に示すように連通部１１６ｇを閉じる閉じ位置に配置される。
【００７８】
電動送風機１１２はユニット本体１１６の後側（下流側）に配設されている。電動送風機１１２は、ユニット本体１１６に支持されることが好ましいが、ユニット本体１１６に支持されることなく掃除機本体２に支持されていても差し支えない。この電動送風機１１２の吸気口１１２ａと風路壁１１６ｅが形成した風路とは後述の吸込みダクト１２１を介して連通されている。したがって、電動送風機１１２は、その運転時にユニット本体１１６の前側の空気を、格子部１１７、通気孔１１６ｄ、風路壁１１６ｅが形成した風路、及び後述の吸込みダクト１２１に、この記載順に流通させて、吸気口１１２ａに吸引できるように設けられている。
【００７９】
図７等に示すように吸込みダクト１２１は、ユニット本体１１６の下部を前後に貫通して設けられている。吸込みダクト１２１は後述の通気部２７６から吸気口１１２ａに至る第２風路を形成している。
【００８０】
吸込みダクト１２１の前端部（上流側端部）は、ユニット本体１１６の前側に配置されて、吸込みダクト１２１の入口部１２１ａをなしている。吸込みダクト１２１にダクト弁１２２が例えば入口部１２１ａに配設されている。
【００８１】
このダクト弁１２２は前記第２風路を開閉する弁である。したがって、ダクト弁１２２は、その上流側から負圧（陰圧）が掃除時に作用した状態では、作用した負圧によって第２風路を閉じる位置に動かされて閉じ状態を保持する。この逆に、ダクト弁１２２は、その上流側から正圧（陽圧）が後述の細塵回収時に作用した状態では、作用した正圧及び下流側から作用する負圧によって第２風路を開く位置に動かされて開き状態を保持する。
【００８２】
吸込みダクト１２１の後端部（下流側端部）は、電動送風機１１２の前端部の下側に達するように配置されていて、吸込みダクト１２１の出口部１２１ｂをなしている。出口部１２１ｂは、ユニット本体１１６と電動送風機１１２の吸気口１１２ａとの間に位置されていて、吸気口１１２ａに連通されている。つまり、出口部１２１ｂは格子部１１７の下流側で吸気口１１２ａと連通している。
【００８３】
吸出しダクト１２５は、ユニット本体１１６の下部を前後に貫通し、かつ、後述の細塵出口２１９から前記吸出し口１１にわたって設けられている。吸出しダクト１２５は細塵出口２１９から吸出し口１１に至る細塵排出風路を形成している。この吸出しダクト１２５は、その一部が広がることなく或いは狭まることなく、各部の風路断面積が略一定となるように作られている。
【００８４】
吸出しダクト１２５の前端部（上流側端部）は、ユニット本体１１６の前側でかつ前記入口部１２１ａの前側に並ぶように配置されて、吸出しダクト１２５の入口部１２５ａをなしている。吸出しダクト１２５のユニット本体１１６より後側部分は、電動送風機１１２の下側に配設された下側ダクト部位と、このダクト部位の後端から上向きに折れ曲がって電動送風機１１２に後側から対向する上向き部位とからなる。
【００８５】
上抜き部位の上端部、言い換えれば、吸出しダクト１２５の下流側端部は、図６に示すように前記吸出し口１１の内筒部１１ａに下側から嵌合して吸出し口１１に接続されている。この接続は、吸出し口１１が設けられている本体上ケース４が、本体下ケース３に対して連結されることにより行われる。それ伴い、吸出し口１１の下端部が吸出しダクト１２５の下流側端部に上方から密接される。
【００８６】
吸出し口１１と接続して既述のように配設された吸出しダクト１２５の例えば入口部１２５ａに、細塵排出弁１２６が設けられている。この細塵排出弁１２６は前記細塵排出風路をなす吸出しダクト１２５を開閉する弁である。細塵排出弁１２６は、その上流側から負圧（陰圧）が掃除時に作用した状態では、作用した負圧によって細塵排出風路の入口部１２５ａを閉じる位置に動かされて閉じ状態を保持する。この逆に、細塵排出弁１２６は、その上流側から正圧（陽圧）が後述の細塵回収時に作用した状態では、作用した正圧及び下流側から作用する負圧によって細塵排出風路の入口部１２５ａを開く位置に動かされて開き状態を保持する。
【００８７】
回転駆動機構１３１は、図１３に示すように電動モータ１３２及び駆動歯車１３３等を備えている。
【００８８】
電動モータ１３２は、正逆回転が可能であり、ユニット本体１１６の下端部後側に取付けられている（図２４及び図２５等参照）。この電動モータ１３２の前方に突出された駆動軸に駆動歯車１３３が固定されている。図２２及び図２３等に示すように駆動歯車１３３は前記延出凹部１１６ａに収容されている。この駆動歯車１３３は、格子部１１７の歯車部１１７ａに噛み合わされている。したがって、電動モータ１３２が運転されることにより格子部１１７は回転される。
【００８９】
又、図１３に示すように電動モータ１３２の駆動軸には、駆動歯車１３３の後側に位置して歯車１３４が固定されている。歯車１３４は駆動歯車１３３より小径であり、この駆動歯車１３３に扇形歯車１３５が噛み合わされている。扇形歯車１３５は、ユニット本体１１６の後壁１１６ｂに、これを貫通して回転自在に取付けられた回転軸１３６の後部に固定されている。歯車１３４及び扇形歯車１３５は後壁１１６ｂの後側に配設されている。回転軸１３６には前記開閉弁１１８が固定されていて、この開閉弁１１８は扇形歯車１３５と一体に回動される。
【００９０】
図２２及び図２３に示すように回転軸１３６の前端部にアーム１３８の一端が固定されている。このアーム１３８の他端部に出口開閉弁１３９が固定されている。これらアーム１３８と出口開閉弁１３９は格子部１１７と後壁１１６ｂとの隙間に配設されている。出口開閉弁１３９は、回転軸１３６を支点とするアーム１３８の往復回動に伴い、前記通気孔１１６ｄをその前側（上流側）から開閉する。この場合、出口開閉弁１３９は、後述の入口開閉弁２２１が後述の気流入口２１４を開いた状態で第１風路の入口である通気孔１１６ｄを閉じるとともに、入口開閉弁２２１が気流入口２１４を閉じた状態で通気孔１１６ｄを開くように移動される。
【００９１】
前記構成の通気ユニット１１５は、その吸出しダクト１２５の前記下側ダクト部位及び吸込みダクト１２１を下にして掃除機本体２内に固定されている。なお、図７、図８、図１１中符号１５１はコードリールを示している。コードリール１５１は、電動送風機１１２の横に並べて掃除機本体２の後部に内蔵されている。このコードリール１５１には電源プラグ１５２を有したコード１５３（一部のみ図示する）が巻き取られ、コード１５３は掃除機本体２外に引き出し可能になっている。
【００９２】
図６〜図９に示すように掃除機本体２に内蔵された細塵分離ユニット２０１は、主細塵分離部２０２と補助細塵分離部２０３を備えている。細塵分離ユニット２０１は、ユニット本体１１６の前側（上流側）に配置されて通気ユニット１１５と組み合わされている。
【００９３】
細塵分離ユニット２０１は、そのメンテナンスをする場合に備えて通気ユニット１１５に着脱可能であるが、着脱できないように通気ユニット１１５に固定することもできる。又、主細塵分離部２０２と補助細塵分離部２０３は細塵分離ユニット２０１を形成することなく個々に掃除機本体２に内蔵されるものであってもよい。
【００９４】
主細塵分離部２０２は、主収容部例えば主分離ケース２１１を備え、この主分離ケース２１１に、入口開閉弁２２１、主フィルタ２４１、外気導入弁２５１、及び除塵機構２５５等を設けて形成されている。
【００９５】
主分離ケース２１１は、図９等に示すように前ケース部材２１２に後ケース部材２１３を連結して形成されている。
【００９６】
図１７（Ａ）及び図１８（Ａ）に示すように前ケース部材２１２は、その中心部側ほど前方に突出された前壁と、この前壁から後に折れ曲がって連続した周壁２１２ａを有していて、後方に開放されている。前ケース部材２１２の前壁はその下部に図１７（Ｂ）に示す気流入口２１４を有している。前ケース部材２１２の周壁２１２ａは円形である。
【００９７】
主分離ケース２１１は細塵出口２１９（図１４参照）を有している。細塵出口２１９は、周壁２１２ａに開口されていて、好ましくは周壁２１２ａの略最低位置に設けられている。ここに略最低位置とは、周壁２１２ａの最低位置だけはなく図１４に示すように最低位置の近傍位置も含んでいる。
【００９８】
図１５に示すように後ケース部材２１３はリング状であって、その開口は気流出口２１３ａをなしている。なお、図１４及び図１５中符号２１５は後ケース部材２１３の周部に複数設けられたフック状の連結部で、これらの連結部を前ケース部材２１２の周部外面に係合させることにより、主分離ケース２１１が組立てられている。後ケース部材２１３の後面は前記シールリング１１４と同様な形状でかつ幅が広いシール面をなしている。図９に示すように後ケース部材２１３の内周部にガイドリング２１７が支持されている。
【００９９】
入口開閉弁２２１は、図２０及び図２１等に示すように取付け軸部２２２に弁板部２２３とアーム部２２４を一体に設けて形成されている。弁板部２２３とアーム部２２４は取付け軸部２２２を境に互に反対側、つまり、１８０°隔てて設けられている。弁板部２２３は気流入口２１４より一回り大きく形成されている。入口開閉弁２２１は、その取付け軸部２２２の前部を、前ケース部材２１２の中央部に後向きに突設された円筒状凸部２１２ｃ（図９参照）に回転可能に嵌合して、主分離ケース２１１に内蔵されている。
【０１００】
円筒状凸部２１２ｃを支点にして入口開閉弁２２１が回動されることにより、弁板部２２３が前記気流入口２１４を開閉する。具体的には、掃除の際に気流入口２１４が開かれ、後述の細塵回収時に気流入口２１４が閉じられる。
【０１０１】
主分離ケース２１１に主フィルタ２４１が内蔵されている。主フィルタ２４１は円形のプリーツフィルタで形成されている。すなわち、図１５及び図１６に示すように主フィルタ２４１は、フィルタフレーム２４１ａとこれに装着されたフィルタ部材２４１ｂとで形成されている。
【０１０２】
図９に示すようにフィルタフレーム２４１ａは、中央筒部２４１ａ１と、この中央筒部２４１ａ１の外周を覆う環状内周部２４１ａ２と、この環状内周部２４１ａ２より大径の環状外周部２４１ａ３と、環状内周部２４１ａ２及び環状外周部２４１ａ３にわたって設けられて多数の桟２４１ａ４とを有している。中央筒部２４１ａ１は、前端が開放され、後部が閉じられていて、内周面は円形である。環状内周部２４１ａ２と環状外周部２４１ａ３は、それらの周方向に沿って交互に前後方向に位置をずらして配設されている。各桟２４１ａ４は、それらの両端を環状内周部２４１ａ２と環状外周部２４１ａ３の山部又は谷部に一体に接続して設けられている。なお、図９では、図の理解を容易にするためにフィルタ部材２４１ｂを省略して描かれている。
【０１０３】
フィルタ部材２４１ｂの両端は環状内周部２４１ａ２と環状外周部２４１ａ３に接着されるとともに、これらの間の中間部は各桟２４１ａ４を境に前後に折り曲げられてこれら桟２４１ａ４に接着されている。そのため、主フィルタ２４１のフィルタ部材２４１ｂは、図１５及び図１６に示すように各桟２４１ａ４によって周方向に交互に山折り及び谷折りされているとともに、その中心部から放射方向に延びるプリーツを有して形成されている。
【０１０４】
したがって、主フィルタ２４１の上流側表面には、放射方向に延びるフィルタ溝（図示しない）が形成されていて、主フィルタ２４１の表面積は、平面状フィルタに比較してより大きく確保されている。各フィルタ溝のそれらが延びる方向の両端は夫々開放されているとともに、フィルタ溝の溝断面は環状外周部２４１ａ３側ほど大きくなっている。
【０１０５】
図１６に示すように主フィルタ２４１の周部複数個所に、フィルタフレーム２４１ａと一体の凸部２４２が前側（上流側）に突出されている。これら凸部２４２に掻き取り部材２４３が取付けられている。これら掻き取り部材２４３は、それらの先端部が摺接する前ケース部材２１２の周壁２１２ａ内周面を傷付けることがないようにゴム等の弾性材料で形成されている。これら掻き取り部材２４３は、可撓変形がし易く細塵の掻き取りをより容易にするために、板状に形成することが好ましい。
【０１０６】
更に、図９に示すように主フィルタ２４１、具体的には環状外周部２４３ａ３の周部複数個所にローラ２４５が取付けられている。主フィルタ２４１は、その中央筒部２４１ａ１を取付け軸部２２２の外周に図示しない軸受を介して嵌合するとともに、各ローラ２４５をガイドリング２１７の内周面に支持させることによって、主分離ケース２１１内に回転可能に支持されている。こうして支持された主フィルタ２４１の掻き取り部材２４３は、弾性変形した状態で前ケース部材２１２の周壁２１２ａの内周面に接触している。
【０１０７】
図９に示すように主フィルタ２４１のフィルタフレーム２４１ａにはその後側から前記格子部１１７の連動突起１１７ｂが挿入されている。したがって、回転駆動機構１３１により格子部１１７が回転されると、連動突起１１７ｂがフィルタフレーム２４１ａの桟２４１ａ４に引っ掛かった時点から主フィルタ２４１は、格子部１１７に連動してこの格子部１１７と一体的に回転される。
【０１０８】
図１７（Ｂ）及び図１８（Ｂ）等に示すように前ケース部材２１２の前壁の例えば上部に、主分離ケース２１１内に外気を導入する外気導入口２５０が開口されているとともに、図１７（Ａ）及び図１８（Ａ）等に示すように外気導入口２５０を外側から開閉する外気導入弁２５１が取付けられている。外気導入弁２５１は弾性部材２５２により外気導入口２５０を閉じる方向に付勢されている。
【０１０９】
図１９に示すように外気導入弁２５１は当接片２５３を有している。当接片２５３は、外気導入口２５０を通って主分離ケース２１１内に突出されていて、その突出先端部に傾斜されたカム面２５３ａを有している。このカム面２５３ａが後述するローラ２５８で押されることによって、外気導入弁２５１は弾性部材２５２の付勢力に抗して外気導入口２５０を開くことができる。それにより、主分離ケース２１１内に外気が導入される。
【０１１０】
除塵機構２５５は、図２０（Ａ）〜（Ｃ）、及び図２１に示すように前記アーム部２２４の上部（先端部）に設けられている。この除塵機構２５５は、軸部２５６と、一対の支持部２５７と、ローラ２５８と、除塵部材２５９を有している。
【０１１１】
軸部２５６は図２０（Ｂ）に示すようにアーム部２２４の先端の軸心部２２４ａに回動可能に設けられている。一対の支持部２５７は、図２０（Ｂ）（Ｃ）に示すように軸部２５６から外方に突出されているとともに、互に所定角度をなして配設されている。ローラ２５８は支持部２５７の先端部に回動自在に支持されている。除塵部材２５９は、突起状であって、軸部２５６から支持部２５７と反対側に突出されている。
【０１１２】
図２１に示すようにローラ２５８は、主分離ケース２１１が有し他前ケース部材２１２の前壁に形成された溝２１６に接し、除塵部材２５９は主フィルタ２４１の前方に突出された山部を弾くことができるように設けられている。溝２１６は、図１７（Ｂ）、図１８（Ｂ）に示すように円弧状に形成されていて、この溝２１６の両端部でアーム部２２４の回動が規制される。そのため、アーム部２２４を有した入口開閉弁２２１は、取付け軸部２２２を中心に溝２１６の範囲内で回動可能に設けられている。
【０１１３】
除塵部材２５９は、軸部２５６を中心に左右方向（図１７（Ｂ）及び図１８（Ｂ）において）に回動可能であるとともに、図２１に示すスプリング２６０の付勢力で、図１７（Ｂ）に示す元の位置に戻るように付勢されている。
【０１１４】
図９に示すように主フィルタ２４１が捕捉している細塵を、この主フィルタ２４１に対する清掃により除去するとともに手元操作部２５に回収する時（これを本明細書では細塵回収時と称する。）に、前側の桟２４１ａ４の環状外周部２４１ａ３側の部位が後述する除塵部材２５９で弾かれて、主フィルタ２４１に塵落し用の振動を付与できる。
【０１１５】
つまり、主フィルタ２４１が回転されると、この主フィルタ２４１の山折り部に引っ掛かった除塵部材２５９は、軸部２５６とともに回動される。そして、主フィルタ２４１が所定角度回転されると、除塵部材２５９が主フィルタ２４１の山折り部を乗り越えるので、この直後にスプリング２６０の付勢力で元の位置に戻される。以上説明した除塵部材２５９の動作が主フィルタ２４１の回転に伴い繰り返されることに従い、主フィルタ２４１に機械的な振動が与えられる。それによって、主フィルタ２４１のフィルタ部材２４１ｂに捕捉されている細塵が落とされる。
【０１１６】
図９及び図１０に示すように前記補助細塵分離部２０３は主細塵分離部２０２の上流側に設けられている。具体的には、補助細塵分離部２０３は、主分離ケース２１１の前ケース部材２１２に前側から連結されている。この補助細塵分離部２０３は、補助収容部をなすフィルタ収容部２７１と、補助フィルタ２８１を備えている。
【０１１７】
フィルタ収容部２７１の内部は、補助フィルタ収容部２８１より前側の前側通気室２０３ａと、補助フィルタ収容部２８１より後側の後側通気室２０３ｂに仕切られている。フィルタ収容部２７１は、複数例えば二つの収容部位２７２（図１０参照）と、流入口２７３と、流出口２７４を有している。
【０１１８】
二つの収容部位２７２は、その上部ほど前側に位置されるとともに後部ほど後側に位置するように傾けられている。これとともに、二つの収容部位２７２は掃除機本体２の幅方向に並べられていて、隔壁２７５で仕切られている。しかし、二つの収容部位２７２はその上部で互いに連通されている。この連通部は流入口２７３に下方から連通されている。隔壁２７５で仕切られた各収容部位２７２は、それらの断面積を小さくした角筒状に形成されている。それにより、収容部位２７２の内側空間からなる通風路を通る気流の流速が速くなるように構成されている。
【０１１９】
流入口２７３は、各収容部位２７２の上側に連続して設けられていて、夫々の収容部位２７２に連通されている。流出口２７４は各収容部位２７２の下部にわたって設けられている。この流出口２７４は、前ケース部材２１２に前側から対向していて、後側通気室２０３ｂを通じて前ケース部材２１２の気流入口２１４に連通されている。したがって、後側通気室２０３ｂの入口は流出口２７４を兼ねており、後側通気室２０３ｂの出口は気流入口２１４を兼ねている。
【０１２０】
フィルタ収容部２７１は通気部２７６を有している。通気部２７６は、前側通気室２０３ａの出口をなして、例えばフィルタ収容部２７１の下部に設けられている。
【０１２１】
補助フィルタ２８１にはプリーツフィルタが好適に用いられている。なお、補助フィルタ２８１はプリーツフィルタに制約されず、気流中の塵をろ過分離することができるフィルタであれば使用可能である。
【０１２２】
補助フィルタ２８１をなしたプリーツフィルタは、互に平行な複数のプリーツ２８２を有し、かつ、隣接したプリーツ２８２間に形成された表側フィルタ溝（上流フィルタ溝）２８３の上流側と下流側の端が夫々開放されているプリーツフィルタである。なお、図９及び図１０中符号２８４はフィルタ端板を示している。これらフィルタ端板２８４は、凸凹状部位を有していて、補助フィルタ２８１の上流側の端と下流側の端に夫々装着されている。これらフィルタ端板２８４によって、補助フィルタ２８１の図示しない前側フィルタ溝（下流側フィルタ溝）と表側フィルタ溝２８３が、補助フィルタ２８１の上下両端部で連通しないように表側フィルタ溝の上流側と下流側の端が閉じられている。
【０１２３】
補助フィルタ２８１はフィルタ収容部２７１の各収容部位２７２に夫々収容されている。図１０に示すように各補助フィルタ２８１は、それらの一端を流入口２７３に向けるとともに、プリーツ２８２が延びる方向が流入口２７３から流出口２７４を通る気流の流れ方向に沿うように配置されている。こうして配置された補助フィルタ２８１の表側フィルタ溝２８３の下部（流出側部位）は前記流出口２７４に対向しており、更に、この表側フィルタ溝２８３は流出口２７４を通じて後側通気室２０３ｂに臨んでいる。これとともに、補助フィルタ２８１の図示しない前側フィルタ溝は前側通気室２０３ａに臨んでいる。
【０１２４】
前記構成の細塵分離ユニット２０１は、本体下ケース３に装着された通気ユニット１１５の前側に上方から着脱可能に装着されている。こうして本体下ケース３に収容された細塵分離ユニット２０１のシール面２１３ｂは、通気ユニット１１５のシールリング１１４に前側から密接されている。それにより、通気ユニット１１５と細塵分離ユニット２０１との接合部の気密が確保されている。この状態で、主細塵分離部２０２の気流出口２１３ａからこれに対して下流側から連通し前記通気孔１１６ｄを経由して電動送風機１１２の吸気口１１２ａに至る風路を、第１風路と称する。通常の掃除の際、主細塵分離部２０２を通過した気流は、前記第１風路を通って電動送風機１１２に吸い込まれる。
【０１２５】
通気ユニット１１５に装着された細塵分離ユニット２０１の細塵出口２１９は、吸出しダクト１２５の入口部１２５ａが有するシールパッキンに上方から密接されている。それにより、前ケース部材２１２と主フィルタ２４１の上流側面との間の空間と吸出しダクト１２５とが連通可能に接続されている。
【０１２６】
通気ユニット１１５に装着された細塵分離ユニット２０１の通気部２７６は、吸込みダクト１２１の入口部１２１ａが有するシールパッキンに上方から密接されている。それにより、前側通気室２０３ａ及びその通気部２７６は、吸込みダクト１２１に接続されていて、ダクト弁１２２が開かれた状態で吸込みダクト１２１を通じて電動送風機１１２の吸気口１１２ａと連通可能である。
【０１２７】
掃除機本体２に収められた細塵分離ユニット２０１に対して、その上方から本体蓋４ａが閉じられる。それに伴い、流入口２７３が吸込み口７に接続される。
【０１２８】
次に、電気掃除機１を用いて掃除をするには、図１に示すように吸込み口７に接続された吸込み風路部材２１を用いて、その吸込み口体５１が有した吸込みヘッド５２の吸込み開口から被掃除面上の塵埃を吸引可能な状態にし、手元操作部２５での操作により電動送風機１１２を運転させながら吸込み口体５１を被掃除面に沿って移動させればよい。
【０１２９】
この掃除状態では、掃除機本体２の吸出し口１１から吸込み風路部材２１が外れているので、延長管４１に取付けられた吸出し弁７１のアーム７７は掃除機本体２の弁用凸部１３で押されていない。そのため、捻りばね７５のばね力により、図３３及び図３４（Ａ）に示すように吸出し弁７１は第１の位置に保持されている。
【０１３０】
つまり、吸出し弁７１は、その第１弁板７３がバルブサポート６１の第１開口６２を開くとともに、第２弁板７４がバルブサポート６１の第３開口６４を閉じた状態にある。この状態では、第３開口６４からの吸い込みが第２弁板７４で遮られ、かつ、吸込み口体５１を通しての吸塵が可能となるように延長管４１とその上流側に接続された吸込み口体５１とが連通されている。
【０１３１】
又、外気導入弁２５１は図１７（Ａ）に示すように閉じた状態にあり、主細塵分離部２０２の入口開閉弁２２１は、図１７（Ｂ）に示すように前ケース部材２１２の気流入口２１４を開いた状態にある。更に、出口開閉弁１３９は図２２に示したように通気ユニット１１５の通気孔１１６ｄを開いた状態にあるとともに、第１開閉弁１１８は図２５に示すように閉じた状態にあり、かつ、第２開閉弁１１９は開いた状態にある。
【０１３２】
こうした状態において、電動送風機１１２の運転により発生する吸気負圧は、細塵分離ユニット２０１の主細塵分離部２０２に波及し、この吸気負圧で主分離ケース２１１の内部が負圧となる。この場合、外気導入弁２５１が閉じた状態にあるので、主分離ケース２１１の内部に外部から外気が吸い込まれることはない。これとともに、細塵排出弁１２６が主分離ケース２１１の内部の負圧によって閉じた状態に保持されるので、吸出しダクト１２５を通して外気が主分離ケース２１１の内部に吸い込まれることはない。
【０１３３】
掃除をする状態では、既述のように入口開閉弁２２１が気流入口２１４を開いた状態に保持されているので、主分離ケース２１１の内部の負圧が補助細塵分離部２０３内に波及する。そのため、気流入口２１４に臨んだ後側通気室２０３ｂだけではなく、前側通気室２０３ａも負圧となる。この場合、ダクト弁１２２が前側通気室２０３ａの負圧によって閉じた状態に保持されるので、第１風路をなした吸込みダクト１２１を通って外部の空気が主分離ケース２１１の内部に吸い込まれることはない。
【０１３４】
以上の条件下で後側通気室２０３ｂの負圧がフィルタ収容部２７１を通って掃除機本体２の吸込み口７に波及するので、この負圧は、吸込み風路部材２１の吸塵ホース２２から延長管４１を経由して吸込み口体５１に波及する。そのため、以上説明した負圧の波及経路と逆の経路を辿って被掃除面から吸塵が行われる。
【０１３５】
こうした掃除における気流の概略的な流れと、その流れを掃除に適するように開かれた状態又は閉じられた状態となった各種弁の状態を図３に示す。
【０１３６】
又、掃除における吸込み口体５１の移動操作は、手元操作部２５のハンドル３３を使用者が握って行う。この場合、手元管２６の下部、具体的には、手元管２６を基準にハンドル３３とは反対側に集塵容器９１が支持されているので、手元操作部２５を持った状態でのバランスが良い。しかも、集塵容器９１は、手元管２６の下部に巻き付くように設けられているので、軸方向に短くコンパクトである。それにより、更に、前記バランスが良くなっている。そのため、手元操作部２５を起点とする吸込み口体５１の移動操作性を向上できる。
【０１３７】
以上の掃除における塵分離は、吸込み風路部材２１の途中に設けられた粗塵分離部８１で行われるとともに、この粗塵分離部８１を通過した細塵の分離が掃除機本体２内の細塵分離ユニット２０１で行われる。
【０１３８】
まず、吸塵ホース２２の手元操作部２５に設けられた粗塵分離部８１での塵分離を説明する。
【０１３９】
粗塵分離部８１に対してその下流側から吸込み負圧は次のように作用している。つまり、吸塵ホース２２内の負圧は、手元管２６が備えた下流側管部材２８の流出管部位３０から上流側管部材２７の流入管部位２７ｂに直接作用することはなく、ガイド壁３１で遮られる。そのため、流出管部位３０に連通している合流口３２及びこれに密接している集塵容器９１の通気口９５を経由して集塵容器９１の内部に波及し、更に、ガイド壁３１の出口３１ａ及びこれに密接している集塵容器９１の塵入口９４を経由してガイド壁３１の内部に波及した後に、上流フィルタ８２の内部を経由して流入管部位２７ｂに波及する。
【０１４０】
この一方で、上流フィルタ８２を囲んだ下流側管部材２８のフィルタ収容部２９内にも合流口３２を経由して負圧が波及する。この負圧は、上流フィルタ８２のネットフィルタ８２ｃを通って上流フィルタ８２の内部に波及し、更に、流入管部位２７ｂに波及する。
【０１４１】
吸込み口体５１から吸塵されて延長管４１で導かれた含塵気流は、以上説明した負圧の波及経路と逆の順序で、粗塵分離部８１の上流フィルタ８２を通過する。それに伴い、空気と塵とが分離される。
【０１４２】
すなわち、含塵気流中の比較的質量が大きい粗塵などの塵は、上流フィルタ８２の外側から作用する負圧に打ち勝って、上流フィルタ８２を通過しガイド壁３１が有した通気路３１ｆに流入して分離壁部３１ｂに衝突する。それにより、略直角に流動方向を曲げられてから通気路３１ｆの出口３１ａ及び塵入口９４を通って集塵容器９１内に移動される。この一方で、上流フィルタ８２の外側から作用する負圧によって、上流フィルタ８２を通過する空気の一部及び質量が前記粗塵より小さくかつ上流フィルタ８２のメッシュを通過可能な細塵等が、上流フィルタ８２を通過して、この上流フィルタ８２とフィルタ収容部２９との間の空間に吸い出される。こうした慣性分離作用によって、粗塵分離部８１で空気と粗塵とが分離される。
【０１４３】
粗塵分離部８１の集塵容器９１には、以上説明した慣性分離作用で分離された粗塵が溜められる。
【０１４４】
つまり、粗塵を含んだ気流は、手元管２６の半径方向に沿うように設けられている出口３１ａを通って、手元管２６に対して巻き付くように配置されている略Ｕ字状の集塵容器９１が有した一方の上部９２ａ内に塵入口９４から吸込まれた後、集塵容器９１内を他方の上部９２ｂに向けて流動する。つまり、手元管２６の周方向に略半周にわたって沿うように流動して、通気口９５及びこれに密接している合流口３２に至るとともに、これらを通過して流出管部位３０に吸込まれる。
【０１４５】
この場合、通気口９５が粗塵用フィルタ１００で覆われているので、気流中の粗塵は粗塵用フィルタ１００に捕捉される。これとともに、粗塵用フィルタ１００のメッシュより細かい細塵を含んだ空気は流出管部位３０に吸い込まれる。又、前記上流フィルタ８２で粗塵から分離された気流、つまり、細塵を含んだ気流は、合流口３２に至って、この合流口３２を通って集塵容器９１から流出管部位３０に吸込まれようとする気流と合流して、流出管部位３０に吸込まれる。
【０１４６】
集塵容器９１に対する集塵は、以上のように粗塵を含んだ気流を手元管２６の周方向に略半周にわたって沿うように流動させて行うので、集塵容器９１内での風路長さをより長く確保できる。それにより、粗塵用フィルタ１００で捕捉された粗塵を前記他方の上部９２ｂ側に寄せて圧縮しつつ集塵容器９１内に溜めることができる。
【０１４７】
こうした集塵に用いられる集塵容器９１は、既述のように手元管２６の周方向に略半周にわたって沿うように設けられているので、その集塵容積を大きく確保できる。そのため、同様な集塵容積を確保するために手元管２６の軸方向に沿って集塵容器を長く形成する必要がなく、手元管２６及び集塵容器９１を軸方向に短く形成できる。
【０１４８】
次に、粗塵分離部８１を通過し、更に、吸塵ホース２２及び吸込み口７を経由して、掃除機本体２内の細塵分離ユニット２０１に導入された含塵気流に対する塵分離を説明する。
【０１４９】
細塵を含んで吸込み口７から補助細塵分離部２０３のフィルタ収容部２７１の流入口２７３に吸込まれた気流は、収容部位２７２において補助フィルタ２８１の上流側表面である後面に沿って流動し、この補助フィルタ２８１の下側に設けられている流出口２７４から後側通気室２０３ｂに流出する。この場合、既述のようにダクト弁１２２が閉じているとともに出口開閉弁１３９が開き位置に配置されているので、収容部位２７２を通る含塵気流が補助フィルタ２８１を通過して前側通気室２０３ａに流入することはない。
【０１５０】
後側通気室２０３ｂに流出した前記含塵空気は、既述のように入口開閉弁２２１が開き位置に在ることにより開いた状態の気流入口２１４を通って主細塵分離部２０２内に流入し、更に、連通孔１１６ｄに向けて流れ込もうとする際に、主フィルタ２４１のフィルタ部材２４１ｂによりろ過される。すなわち、主フィルタ２４１を通過しようとする気流中に含まれている細塵が主フィルタ２４１に捕捉される。
【０１５１】
こうして主フィルタ２４１を通過した気流は、主分離ケース２１１の気流出口２１３ａから電動送風機１１２の吸気口１１２ａに至る第１風路を流通して、電動送風機１１２に吸い込まれる。それに伴い、電動送風機１１２の排気口１１３から外部に放出された気流が、車輪６の排気部６ａを経由して掃除機本体２の外部に放出される。
【０１５２】
以上のように粗塵分離部８１を通過した含塵気流は、主細塵分離部２０２で粗塵と空気とにろ過分離され、分離された細塵は主フィルタ２４１でろ過分離されて、この主フィルタ２４１の上流側表面に付着した状態に保持される。
【０１５３】
こうした通常の掃除運転での細塵の分離において、補助フィルタ２８１には気流が通過しないので、この補助フィルタ２８１ではろ過分離は行われない。しかし、この補助フィルタ２８１の上流側表面は、既述のように流入口２７３から流出口２７４に向けて流れる気流に晒されるので、この気流によって清掃される。つまり、補助細塵分離部２０３から補助フィルタ２８１の後面（上流側表面）に後述のように捕捉される細塵が、補助フィルタ２８１の上流側表面に沿って流れる気流により、この気流の流れ方向下流側に吹き飛ばされる。
【０１５４】
この場合、補助フィルタ２８１がプリーツフィルタであって、そのプリーツ２８２が延びる方向と、流入口２７３から流出口２７４への気流の流れ方向とが同じである。そのため、主細塵分離部２０２に向かう気流が、補助フィルタ２８１の表側フィルタ溝２８３を円滑に通り抜けることができるに伴い、補助フィルタ２８１の上流側表面に捕捉されている細塵を容易に吹き飛ばすことができる。なお、補助フィルタ３８１はプリーツがない平面フィルタであってもよい。
【０１５５】
その上、補助フィルタ２８１が収められた収容部位２７２は、角筒状でその内側空間からなる通風路の断面積が小さく形成されているので、この通風路を通る気流の流速が速い。それに伴い、補助フィルタ２８１に捕捉されている細塵をより容易に吹き飛ばすことができる。
【０１５６】
掃除期間中は、吸込み口７から主細塵分離部２０２に向けて流動する気流を利用して以上のように補助フィルタ２８１を継続して清掃できる。この清掃は電気掃除機１を使用する度に行われる。したがって、長期間にわたり補助フィルタ２８１が目詰まらないようになるので、この補助フィルタ２８１のろ過による細塵の捕捉機能を長く持続することができる。
【０１５７】
そして、以上のように補助フィルタ２８１から吹き飛ばされた細塵は、補助フィルタ２８１の下流側に配置されている主フィルタ２４１のフィルタ部材２４１ｂの上流側表面に、このフィルタ部材２４１ｂのろ過作用によって捕捉されて、気流から分離される。
【０１５８】
次に、掃除後または掃除を中断した状態で、主細塵分離部２０２の主フィルタ２４１に捕捉されている細塵を除去（清掃）するとともに、除去された細塵を回収する手順を説明する。
【０１５９】
まず、掃除機本体２に対する電源の供給が維持されているとともに、吸込み口７に吸込み風路部材２１が接続されたままの状態で、その延長管４１を掃除機本体２に支持させる。つまり、延長管４１が備える接続部６６の嵌合筒部６８を、掃除機本体２の吸出し口１１に上方から嵌合して接続する。
【０１６０】
これにより、延長管４１が掃除機本体２に引掛けられて、この延長管４１が第２図に示すように略垂直に立った状態に掃除機本体２に支持される。この支持により、吸込み口７と吸出し口１１とにわたって吸込み風路部材２１が配設される。
【０１６１】
前記のように掃除機本体２の上方に突出する吸出し口１１に延長管４１を支持させる操作では、掃除機本体２の後端を底にして掃除機本体２を起立させる手間が不要である。これとともに、掃除機本体２から予め上向きに突出されている吸出し口１１に、その上方から接続部６６を落とし込むようにして嵌合させることができる。このため、簡便に吸出し口１１に対する吸込み風路部材２１の接続操作を行える。
【０１６２】
吸出し口１１への接続部６６の接続に伴って、それまで捻りばね７５の付勢力で第１の位置、つまり、図３４（Ａ）（Ｂ）に示すように延長管４１の軸線が延びる方向と略直交する方向に沿って保持されていた吸出し弁７１のアーム７７が、吸出し口１１の弁用凸部１３に当たって押上げられる。
【０１６３】
そのため、この吸出し弁７１は、捻りばね７５の付勢力に抗して回動され、図３５及び図３６（Ａ）（Ｂ）に示すように略垂直に立った第２の位置に配置される。それにより、吸出し弁７１の第１弁板７３がバルブサポート６１の第１開口６２を閉じるとともに、吸出し弁７１の第２弁板７４がバルブサポート６１の第３開口６４を開く。
【０１６４】
したがって、延長管４１の先端開口（若しくは、延長管４１の先端部に吸込み口体５１が接続されている場合は、この吸込み口体５１の内部）と、延長管４１の第１弁板７３よりも下流側の内部との連通が、第１弁板７３により断たれる。これとともに、延長管４１の第１弁板７３よりも下流側の内部と接続部６６とが第３開口６４を通じて連通される。つまり、接続部６６及びこれが接続された吸出し口１１を通じて、延長管４１の第１弁板７３よりも下流側の内部と、掃除機本体２内の吸出しダクト１２５とが連通される。
【０１６５】
又、以上のように吸出し口１１に吸込み風路部材２１が接続されると、吸出し口１１に配設されているスイッチ１５が嵌合筒部６８で押されてオンするので、このスイッチ１５により、吸出し口１１に吸込み風路部材２１が接続されたことが検知される。この検知情報は図示しない制御部に送信される。
【０１６６】
この検知情報が入力されることに基づいて制御部は、まず、回転駆動機構１３１を動作させる。この動作は電動モータ１３２への通電により開始され、それに伴い、駆動歯車１３３が主フィルタ２４１を回転させる。
【０１６７】
この回転の初期において気流入口２１４が閉じられる。つまり、主フィルタ２４１の回転に伴い入口開閉弁２２１が図１７（Ｂ）の状態から図１８（Ｂ）の状態となるように略９０°連れ回わりされるので、それまでの掃除運転状態で気流入口２１４から外れていた弁板部２２３が気流入口２１４を閉じる位置に配置される。こうした閉じ状態は、ローラ２４５が溝２１６の一端に係合することで保持される。
【０１６８】
又、前記回転の初期での主フィルタ２４１の回転に伴い外気導入弁２５１が開かれる。つまり、入口開閉弁２２１が図１７（Ｂ）の状態から図１８（Ｂ）の状態となる直前に、そのローラ２４５が外気導入弁２５１の当接片２５３のカム面２５３ａを押し始めるので、外気導入弁２５１が弾性部材２５２に抗して押し動かされる。
【０１６９】
それにより、それまでの掃除運転状態で図１７（Ａ）に示すように閉じ状態にあった外気導入弁２５１が、図１８（Ａ）に示す開き状態となる。したがって、主分離ケース２１１の外気導入口２５０が開放されて、主分離ケース２１１の内部、言い換えれば、前ケース部材２１２と主フィルタ２４１の前面との間の空間（主フィルタ２４１に臨んだ空間）が、外気導入口２５０を通して主分離ケース２１１の外部と連通される。
【０１７０】
これとともに、前記電動モータ１３２の駆動開始に伴い、歯車１３４が扇形歯車１３５を介して回転軸１３６を回動させる。そのため、それまでの掃除運転状態で図２２に示す位置に配置されていた出口開閉弁１３９が、アーム１３８を介して移動されて図２３に示すように通気ユニット１１５の通気孔１１６ｄを閉じる。
【０１７１】
こうして通常の掃除運転状態で主分離ケース２１１の内部（前記空間）に対する入口（つまり、気流入口２１４）と出口（つまり、通気孔１１６ｄ）が閉じられて、電動送風機１１２の吸気口１１２ａと前記第１風路との連通が断たれる一方で、外気導入弁２５１が開かれる。
【０１７２】
更に、電動モータ１３２の駆動開始に伴う前記回転軸１３６を回動により、それまでの掃除運転時で図２５に示す閉じ位置に配置されていた第１開閉弁１１８が、図２４に示す開き位置に配置される。以上説明した第１開閉弁１１８及び出口開閉弁１３９等の開閉により、吸気口１１２ａが第２風路をなす吸込みダクト１２１が連通される。
【０１７３】
そして、既述のように動作された回転駆動機構１３１により、主フィルタ２４１の回転が継続される。この回転に伴い主フィルタ２４１の前側の桟２４１ａ４により規定されたフィルタ部材２４１ｂの山折り部が、除塵機構２５５の除塵部材２５９を乗り越える。この乗り越えの際に、桟２４１ａ４が弾性変形しつつ除塵部材２５９で弾かれて、主フィルタ２４１に機械的振動が付与される。それにより、主フィルタ２４１のフィルタ部材２４１ｂに捕捉されている細塵が落とされる。こうした主フィルタ２４１に対する塵落し動作は、主フィルタ２４１の山折り部が除塵部材２５９を乗り越える度に行われて、主フィルタ２４１が回転している間継続する。
【０１７４】
更に、主フィルタ２４１の回転に伴い、その外周部に設けられた掻き取り部材２４３が前ケース部材２１２の周壁２１２ａ内周面を摺動する。それにより、この内周面に付着している細塵が掻き取り部材２４３で掻き取られて移動される。
【０１７５】
又、以上の回転駆動機構１３１の動作開始と同時若しくはその後に、制御部は、主フィルタ２４１の清掃を行うために電動送風機１１２を運転させる。
【０１７６】
電動送風機１１２が運転されるに伴い発生する吸気負圧は、吸込みダクト１２１に波及するので、ダクト弁１２２が開かれるとともに、第２開閉弁１１９が吸気負圧により閉じられる。それにより、吸気負圧は補助細塵分離部２０３の前側通気室２０３ａに波及し、更に、補助フィルタ２８１を通って後側通気室２０３ｂに波及する。
【０１７７】
この場合、主細塵分離部２０２の入口開閉弁２２１が閉じられているので、後側通気室２０３ｂ内の負圧は流入口２７３に接続されている吸込み口７に作用する。更に、この負圧は、吸込み風路部材２１の吸塵ホース２２を経由して延長管４１に波及する。
【０１７８】
主フィルタ２４１の清掃中は、既述のように延長管４１の先端部が閉じられているとともに、この延長管４１の内部が、掃除機本体２の吸出し口１１を経由して細塵分離ユニット２０１の吸出しダクト１２５に連通されている。そのため、延長管４１内の負圧は吸出しダクト１２５に波及する。この負圧によって細塵排出弁１２６が開かれた状態になる。
【０１７９】
それに伴い、細塵分離ユニット２０１の内部空間、つまり、前ケース部材２１２と主フィルタ２４１との間に形成された空間に、吸出しダクト１２５内の負圧が波及する。この状態で既述のように外気導入弁２５１は開かれている。
【０１８０】
したがって、細塵分離ユニット２０１の外部から空気が吸込まれる。この空気は、既述の負圧経路と逆の経路を辿って、主フィルタ２４１を経由することなく電動送風機１１２に吸込まれ、この後、排気部６ａを通って掃除機本体２外に放出される。なお、こうした細塵回収時における気流の概略的な流れと、その流れを掃除に適するように開かれた状態又は閉じられた状態となった各種弁の状態を図４に示す。
【０１８１】
以上の吸込み動作によって主フィルタ２４１が細塵分離ユニット２０１内に吸込まれた外気で清掃される。つまり、前記自動除塵に伴い主フィルタ２４１から落とされて、前ケース部材２１２と主フィルタ２４１の上流側表面との間に形成された空間に漂う細塵は、外気導入弁２５１から吸込まれて前記空間を通って細塵出口２１９に流入する気流によって、細塵出口２１９を通って吸出しダクト１２５に移送される。それにより、前記細塵は、吸出しダクト１２５から吸出し口１１、延長管４１を順次経由して粗塵分離部８１に吸い込まれる。
【０１８２】
更に、既述のように掻き取り部材２４３が主分離ケース２１１の内周面上の細塵を掻き取りながら回転していて、その回転に従い、掻き取り部材２４３は、主分離ケース２１１の前ケース部材２１２の下端部に移動されて、負圧によって開かれている細塵出口２１９に対向する。それに伴い、掻き取り部材２４３で移動された細塵が細塵出口２１９を通って吸出しダクト１２５内に掻き落とされる。
【０１８３】
前ケース部材２１２と主フィルタ２４１との間の空間の各部の断面積は一定ではなく様々に変化しているので、それに応じて前記空間を流通する空気の流速が変化される。それにより、前記空間を通る気流による細塵搬送のみに頼った場合には様々な場所に細塵が残留することがある。
【０１８４】
しかし、こうした気流による細塵搬送に加えて、既述のように掻き取り部材２４３を用いて細塵を機械的に吸出しダクト１２５の途中に連通された細塵出口２１９に搬入させることによって、確実に吸出しダクト１２５内に細塵を移動させることができる。
【０１８５】
しかも、細塵出口２１９は前ケース部材２１２の周壁２１２ａの下端部に設けられているので、細塵を上方に向けて掻き動かす場合に比較して、掻き動かされる細塵がこぼれ難く、かつ、細塵を容易に細塵出口２１９に掻き落とすことができる。
【０１８６】
以上のように吸出しダクト１２５内に搬送された細塵は、吸出しダクト１２５を通る気流で運ばれて粗塵分離部８１に吸い込まれる。
【０１８７】
この場合、吸出しダクト１２５の各部の風路断面積が略一定であるため、吸出しダクト１２５を通る気流の速度は、前記空間を通る気流の速度よりも速い。そのため、吸出しダクト１２５の途中に連通された粗塵出口２１９に掻き取り部材２４３により掻き落とされた細塵を、吸出しダクト１２５を通る気流により確実に搬出することができる。
【０１８８】
以上のように主フィルタ２４１に機械的振動を与えて除塵しつつ、除塵された細塵を、風路断面積が略一定である吸出しダクト１２５に掻き取り部材２４３で移動させて、この吸出しダクト１２５を通る気流で粗塵分離部８１に吸い込むことによって、主フィルタ２４１を清掃できるので、そのフィルタ部材２４１ｂの目詰まりを解消できる。そして、以上説明した主フィルタ２４１に対する清掃によれば、掃除機本体２から細塵分離ユニット２０１を取出し、これを分解して、主フィルタ２４１を清掃する面倒がない。
【０１８９】
なお、以上のフィルタ清掃動作後に、吸出しダクト１２５の内部に細塵が残っていることがある。そのため、この後に掃除をする場合、細塵排出弁１２６が負圧で閉じるまでの短時間の間、吸出しダクト１２５に負圧が作用する。
【０１９０】
しかし、吸出しダクト１２５は、細塵分離ユニット２０１の下端から電動送風機１１２の下側に沿うとともに、電動送風機１１２の後側に沿って立ち上がっていて、かなり長い。それにより、吸出しダクト１２５内の残留細塵が前記短時間の間に前ケース部材２１２内に吸い戻されることを抑制できる。言い換えれば、吸出しダクト１２５内の細塵が細塵出口２１９から吸い戻されることがあっても、それにより、主フィルタ２４１に再付着する細塵量を極小に制限できる。
【０１９１】
以上説明した主フィルタ２４１の清掃時に、粗塵分離部８１を通過する気流は、主フィルタ２４１から除去された細塵を含んでいる。この細塵は、以下説明するように粗塵分離部８１で気流から分離されて（回収され）、かつ、粗塵分離部８１で回収しきれなかった細塵は補助フィルタ２８１でろ過分離される。
【０１９２】
まず、粗塵分離部８１での細塵の回収について説明する。粗塵分離部８１に対する気流は、掃除の場合と同じく２系統あって、それらが最終的に合流した状態で粗塵分離部８１の下流側管部材２８から掃除機本体２に向けて流通する。
【０１９３】
前記２系統のうちの一方の系統の気流は、粗塵分離部８１内を流通する気流であり、この気流は集塵容器９１を通ってから合流口３２を流通する。そのため、こうして粗塵分離部８１内を流通する気流中に含まれる細塵の多くは、集塵容器９１内に溜められている粗塵をフィルタとしてこれら粗塵に付着して集塵容器９１内に溜められる。又、集塵容器９１内で捕捉仕切れずに集塵容器９１を通過した細塵は以下のように補助フィルタ２８１で空気からろ過分離される。
【０１９４】
次に、補助フィルタ２８１での分離について説明する。前記２系統の内の他の系統は、上流フィルタ８２を通過して合流口３２に至る気流である。この気流中の細塵は実質的に上流フィルタ８２で捕捉されることがない。更に、前記他の系統の気流は、既述のように集塵容器９１を通り抜けた前記一方の系統の気流と合流して補助細塵分離部２０３に吸い込まれて、前側通気室２０３ａから補助フィルタ２８１を通って後側通気室２０３ｂへと流れる。
【０１９５】
これにより、補助フィルタ２８１にこれを通過しようとする気流中に含まれる細塵が捕捉される。補助フィルタ２８１を通過して細塵が除かれた気流は、負圧で開かれているダクト弁１２２から吸込みダクト１２１を経由して電動送風機１１２に吸い込まれる。
【０１９６】
以上のようにして主フィルタ２４１を清掃できるとともに、それにより除去された細塵を手元操作部２５に着脱可能な集塵容器９１内に回収でき、回収し切れなかった細塵を補助フィルタ２８１に捕捉できる。又、補助フィルタ２８１に捕捉された細塵は、既述のように通常の掃除運転中に、補助フィルタ２８１の表面に沿って流れる気流で払拭されて、主フィルタ２４１に捕捉される。
【０１９７】
集塵容器９１はその少なくとも一部が内部を透視可能に形成されているので、集塵容器９１内への塵の溜り具合を、掃除中にも、フィルタ清掃を伴う細塵回収時にも視認できる。つまり、掃除機本体２があるところに戻る必要がなく、更に、掃除機本体２の傍で屈んで掃除機本体２から細塵分離ユニット２０１を取出す手間を要することもなく、塵捨て時期を知ることが可能である。
【０１９８】
塵捨てを行う場合、容器クランプ９８を押した状態で、集塵容器９１を後方に引き動かすことにより、集塵容器９１の第１係合部９６を手元管２６の第１フック３７から外すとともに集塵容器９１の第２係合部９７を手元管２６の第２フック３８から外すことができる。それにより、手元管２６から集塵容器９１が外されるので、容器蓋９３を開いて塵捨てを行うことができる。なお、塵捨て後に集塵容器９１を取付けるには、以上と逆の手順で行えば良い。
【０１９９】
以上のように手元操作部２５に取付けた集塵容器９１に粗塵を集塵できるだけではなく、この粗塵に掃除機本体２内で捕捉した細塵を回収した上で、塵捨て処理を行えるので、その際に掃除機本体２がある場所に戻る必要がなく、塵を捨てることができる。
【０２００】
この塵捨ての際、既述のように手元管２６に対して集塵容器９１を外す場合、掃除を中断した状態では、手元操作部２５のハンドル３３が把持されていて、集塵容器９１は掃除機本体２よりも高く使用者の腰の高さと略同様な高さ位置にある。又、フィルタ清掃を伴う細塵回収に引き続いて塵捨てをする時には、延長管４１が立った状態に支持されていることにより、集塵容器９１は使用者の腰の高さと略同様の高さ位置にある。
【０２０１】
そのため、使用者は、腰を大きく屈めることなく、集塵容器９１を外すことができるので、腰部への負担を軽減できる。更に、細塵回収に引き続いて塵捨てをした上で、集塵容器９１を手元管２６に取付ける場合にも、高い位置にある手元管２６に対して腰を大きく屈めることなく作業を行えるので、腰部への負担を軽減できる。
【０２０２】
更に、既述のように検知手段であるスイッチ１５が、吸出し口１１に延長管４１が引掛け支持されたことを検知することに基づいて、主フィルタ２４１に捕捉されている細塵を粗塵分離部８１に回収する動作が自動的に開始される。そのため、使用者は、主フィルタ２４１の清掃を行うための指示を与えるスイッチ操作を要しない点で使い勝手がよい。しかし、こうした主フィルタ２４１の清掃を自動的にスタートさせることに代えて、それ用の細塵回収スイッチを掃除機本体２若しくは手元操作部２５に設けて、その細塵回収スイッチを使用者が操作することによって、主フィルタ２４１の清掃を伴う細塵回収をスタートさせることも可能である。
【０２０３】
なお、本発明は前記一実施形態には制約されない。例えば、前記一実施形態では外気導入弁２５１を主フィルタ２４１の上流側に配置したので、外気導入口２５０から吸い込まれる外気を、主フィルタ２４１の上流側表面が吹き付けられるように吸込ませることが可能であるが、外気導入弁２５１は主フィルタ２４１の下流側に配置することも可能である。
【０２０４】
更に、前記一実施形態では、延長管４１を吸出し口１１に着脱可能に接続するようにしたが、これに代えて、手元管２６の流入管部位２７ｂに、バルブサポート６１及び吸出し弁７１を取付けて、流入管部位２７ｂから延長管４１が外された状態で、この流入管部位２７ｂを吸出し口１１の内筒部１１ａの内側に挿脱させることにより、手元管２６を吸出し口１１に着脱可能に接続できるようにして実施することができる。
【符号の説明】
【０２０５】
１…電気掃除機、２…掃除機本体、７…吸込み口、１１…吸出し口、１５…スイッチ（検知手段）、２１…吸込み風路部材、２２…吸込み風路部材の吸塵ホース、２５…手元操作部、２６…手元管、３０…流出管部位、３１…ガイド壁、３１ａ…出口、３１ｂ…分離壁部、３１ｃ…出口対向部位、３２…合流口、３３…ハンドル、４１…吸込み風路部材の延長管、５１…吸込み風路部材の吸込み口体、６６…接続部、６７…筒状基部、６８…嵌合筒部、７１…吸出し弁、８１…粗塵分離部、８２…上流フィルタ、８２ｄ…小径開口端部、９１…集塵容器、９２ａ…一方の上部、９２ｂ…他方の上部、９４…塵入口、９５…通気口、１１１…吸引装置、１１２…電動送風機、１１２ａ…吸気口、１１５…通気ユニット、１２１…第２風路を形成する吸込みダクト、１２５…細塵排出風路を形成する吸出しダクト、１２６…細塵排出弁、１３１…回転駆動機構、１３９…出口開閉弁、２０１…細塵分離ユニット、２０２…主細塵分離部、２０３…補助細塵分離部、２１１…主分離ケース（主収容部）、２１２ａ…周壁、２１３ａ…気流出口、２１４…気流入口、２１９…細塵出口、２２１…入口開閉弁、２４１…主フィルタ、２４３…掻き取り部材、２５１…外気導入弁、２５５…除塵機構、２７１…フィルタ収容部、２７３…流入口、２７４…流出口、２７６…通気部、２８１…補助フィルタ、２８２…プリーツ、２８３…表側フィルタ溝
【図１】
2011229846.tif 000003
【図２】
2011229846.tif 000004
【図３】
2011229846.tif 000005
【図４】
2011229846.tif 000006
【図５】
2011229846.tif 000007
【図６】
2011229846.tif 000008
【図７】
2011229846.tif 000009
【図８】
2011229846.tif 000010
【図９】
2011229846.tif 000011
【図１０】
2011229846.tif 000012
【図１１】
2011229846.tif 000013
【図１２】
2011229846.tif 000014
【図１３】
2011229846.tif 000015
【図１４】
2011229846.tif 000016
【図１５】
2011229846.tif 000017
【図１６】
2011229846.tif 000018
【図１７】
2011229846.tif 000019
【図１８】
2011229846.tif 000020
【図１９】
2011229846.tif 000021
【図２０】
2011229846.tif 000022
【図２１】
2011229846.tif 000023
【図２２】
2011229846.tif 000024
【図２３】
2011229846.tif 000025
【図２４】
2011229846.tif 000026
【図２５】
2011229846.tif 000027
【図２６】
2011229846.tif 000028
【図２７】
2011229846.tif 000029
【図２８】
2011229846.tif 000030
【図２９】
2011229846.tif 000031
【図３０】
2011229846.tif 000032
【図３１】
2011229846.tif 000033
【図３２】
2011229846.tif 000034
【図３３】
2011229846.tif 000035
【図３４】
2011229846.tif 000036
【図３５】
2011229846.tif 000037
【図３６】
2011229846.tif 000038